(57)【要約】      （修正有）【課題】複数送信アンテナシステムのための測位基準信号（ＰＲＳ）を生成する方法を提供する。【解決手段】モバイル局に観測到着時間差（ＯＴＤＯＡ）支援情報を提供する方法であって、ＯＴＤＯＡ支援情報は、少なくとも１つのセルに関するアンテナ交換支援情報を含む測位基準信号（ＰＲＳ）支援情報を備えることができる。その方法は、セルのための位置サーバ上で実行されうる。【選択図】図６Ａ
2018072343.tif 000002
【特許請求の範囲】
【請求項１】
サーバからの観測到着時間差（ＯＴＤＯＡ）支援情報を提供する方法であって、
モバイル局（ＭＳ）に前記ＯＴＤＯＡ支援情報を送ることと、ここにおいて、前記ＯＴＤＯＡ支援情報は、前記サーバによってサービス提供されるセルのサブセットにおける少なくとも１つのセルに関するアンテナ交換支援情報を含む測位基準信号（ＰＲＳ）支援情報を備える、
を備える方法。
【請求項２】
前記アンテナ交換支援情報は、１つまたは複数のブーリアンパラメータをさらに備え、前記１つまたは複数のブーリアンパラメータの各々は、
前記サーバによってサービス提供されるセルの前記サブセットにおける対応するセルに対応し、
物理送信アンテナ要素交換が、前記対応するセルのためのＰＲＳ測位オケージョン間で生じるかどうかを示す、
請求項１に記載の方法。
【請求項３】
前記アンテナ交換支援情報は、アンテナ交換間隔に関連する情報をさらに備え、前記アンテナ交換間隔は、前記物理送信アンテナ要素が交換される前に、前記少なくとも１つのセルにおける物理送信アンテナ要素上で送信される連続的なＰＲＳ測位オケージョンの数の観点から指定される、請求項１に記載の方法。
【請求項４】
前記アンテナ交換支援情報は、
アンテナ交換パターン情報、または
アンテナミューティングパターン情報、
のうちの少なくとも１つをさらに備える、請求項３に記載の方法。
【請求項５】
前記ＯＴＤＯＡ支援情報は、ロングタームエボリューション（ＬＴＥ）測位プロトコル（ＬＰＰ）またはＬＰＰ拡張子（ＬＰＰｅ）メッセージを使用して前記ＭＳに送られる、請求項１に記載の方法。
【請求項６】
前記サーバは、前記少なくとも１つのセルのための位置サーバである、請求項１に記載の方法。
【請求項７】
通信インタフェースと、ここにおいて、前記通信インタフェースは、モバイル局に観測到着時間差（ＯＴＤＯＡ）支援情報を送るためのものである、
前記通信インタフェースに結合されたプロセッサと、ここにおいて、前記プロセッサは、サーバによってサービス提供されるセルのサブセットにおける少なくとも１つのセルに関する前記ＯＴＤＯＡ支援情報を生成するように構成され、前記ＯＴＤＯＡ支援情報は、前記少なくとも１つのセルに関するアンテナ交換支援情報を含む測位基準信号（ＰＲＳ）支援情報を備える、
を備えるサーバ。
【請求項８】
前記アンテナ交換支援情報は、１つまたは複数のブーリアンパラメータをさらに備え、前記１つまたは複数のブーリアンパラメータの各々は、
前記サーバによってサービス提供されるセルの前記サブセットにおける対応するセルに対応し、
物理送信アンテナ要素交換が、前記対応するセルのためのＰＲＳ測位オケージョン間で生じるかどうかを示す、
請求項７に記載のサーバ。
【請求項９】
前記アンテナ交換支援情報は、アンテナ交換間隔に関連する情報をさらに備え、前記アンテナ交換間隔は、前記物理送信アンテナ要素が交換される前に、前記少なくとも１つのセルにおける物理送信アンテナ要素上で送信される連続的なＰＲＳ測位オケージョンの数の観点から指定される、請求項７に記載のサーバ。
【請求項１０】
前記アンテナ交換支援情報は、
アンテナ交換パターン情報、または
アンテナミューティングパターン情報、
のうちの少なくとも１つをさらに備える、請求項９に記載のサーバ。
【請求項１１】
前記プロセッサは、ロングタームエボリューション（ＬＴＥ）測位プロトコル（ＬＰＰ）またはＬＰＰ拡張子（ＬＰＰｅ）メッセージとして、前記ＯＴＤＯＡ支援情報をさらに生成する、請求項７に記載のサーバ。
【請求項１２】
モバイル局に観測到着時間差（ＯＴＤＯＡ）支援情報を送るための手段と、
ＯＴＤＯＡ支援情報を送るための前記手段に結合された処理する手段と、ここにおいて、前記処理する手段は、サーバによってサービス提供されるセルのサブセットにおける少なくとも１つのセルに関する前記ＯＴＤＯＡ支援情報を生成するためのものであり、前記ＯＴＤＯＡ支援情報は、少なくとも１つのセルに関するアンテナ交換支援情報を含む測位基準信号（ＰＲＳ）支援情報を備える、
を備えるサーバ。
【請求項１３】
前記アンテナ交換支援情報は、１つまたは複数のブーリアンパラメータをさらに備え、前記１つまたは複数のブーリアンパラメータの各々は、
前記サーバによってサービス提供されるセルの前記サブセットにおける対応するセルに対応し、
物理送信アンテナ要素交換が、前記対応するセルのためのＰＲＳ測位オケージョン間で生じるかどうかを示す、
請求項１２に記載のサーバ。
【請求項１４】
前記アンテナ交換支援情報は、アンテナ交換間隔に関連する情報をさらに備え、前記アンテナ交換間隔は、前記物理送信アンテナ要素が交換される前に、前記少なくとも１つのセルにおける物理送信アンテナ要素上で送信される連続的なＰＲＳ測位オケージョンの数の観点から指定される、請求項１２に記載のサーバ。
【請求項１５】
前記アンテナ交換支援情報は、
アンテナ交換パターン情報、または
アンテナミューティングパターン情報、
のうちの少なくとも１つをさらに備える、請求項１４に記載のサーバ。
【請求項１６】
前記処理する手段は、ロングタームエボリューション（ＬＴＥ）測位プロトコル（ＬＰＰ）またはＬＰＰ拡張子（ＬＰＰｅ）メッセージとして、前記ＯＴＤＯＡ支援情報をさらに生成するためのものである、請求項１２に記載のサーバ。
【請求項１７】
プロセッサによって実行されるときに、サーバからの観測到達時間差（ＯＴＤＯＡ）支援情報を提供するための方法におけるステップを実行する命令を備える非一時的なコンピュータ可読媒体であって、前記ステップは、
モバイル局に前記ＯＴＤＯＡ支援情報を送ることと、ここにおいて、前記ＯＴＤＯＡ支援情報は、前記サーバによってサービス提供されるセルのサブセットにおける少なくとも１つのセルに関するアンテナ交換支援情報を含む測位基準信号（ＰＲＳ）支援情報を備える、
を備える非一時的なコンピュータ可読媒体。
【請求項１８】
前記アンテナ交換支援情報は、１つまたは複数のブーリアンパラメータをさらに備え、前記１つまたは複数のブーリアンパラメータの各々は、
前記サーバによってサービス提供されるセルの前記サブセットにおける対応するセルに対応し、
物理送信アンテナ要素交換が、前記対応するセルのためのＰＲＳ測位オケージョン間で生じるかどうかを示す、
請求項１７に記載のコンピュータ可読媒体。
【請求項１９】
前記アンテナ交換支援情報は、アンテナ交換間隔に関連する情報をさらに備え、前記アンテナ交換間隔は、前記物理送信アンテナ要素が交換される前に、前記少なくとも１つのセルにおける物理送信アンテナ要素上で送信される連続的なＰＲＳ測位オケージョンの数の観点から指定される、請求項１７に記載のコンピュータ可読媒体。
【請求項２０】
前記アンテナ交換支援情報は、
アンテナ交換パターン情報、または
アンテナミューティングパターン情報、
のうちの少なくとも１つをさらに備える、請求項１９に記載のコンピュータ可読媒体。
【請求項２１】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項１７に記載のコンピュータ可読媒体。
【請求項２２】
モバイル局（ＭＳ）で観測到着時間差（ＯＴＤＯＡ）支援情報を受信することと、ここにおいて、前記ＯＴＤＯＡ支援情報は、少なくとも１つのセルに関するアンテナ交換支援情報を含む測位基準信号（ＰＲＳ）支援情報を備える、
物理送信アンテナ要素交換は、前記受信されたアンテナ交換支援情報に少なくとも部分的に基づいて、前記少なくとも１つのセルによって使用されるかどうかを決定することと、
物理送信アンテナ要素交換が前記少なくとも１つのセルによって使用される場合、単一のＰＲＳ測位オケージョン中の前記ＭＳにおける測定に基づいて決定される到達時間（ＴＯＡ）値のセットからＰＲＳに関するＴＯＡ値を選択することと、ここにおいて、前記ＰＲＳは前記ＭＳによって受信され、前記選択されたＴＯＡ値は、ＴＯＡ値の前記セットにおける他のＴＯＡ値よりも、前記ＰＲＳのソースと前記ＭＳとの間のより短い距離を示す、
を備える方法。
【請求項２３】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項２２に記載の方法。
【請求項２４】
前記ＯＴＤＯＡ支援情報は、前記少なくとも１つのセルのための位置サーバによって送信される、請求項２２に記載の方法。
【請求項２５】
前記選択されたＴＯＡ値および前記ＯＴＤＯＡ支援情報に部分的に基づいて、前記ＭＳの位置を決定すること、をさらに備える、請求項２２に記載の方法。
【請求項２６】
測位基準信号（ＰＲＳ）および観測到達時間差（ＯＴＤＯＡ）支援情報を受信する能力を有するトランシーバと、ここにおいて、前記ＯＴＤＯＡ支援情報は、少なくとも１つのセルに関するアンテナ交換支援情報を含むＰＲＳ支援情報を備える、
前記トランシーバに結合されたプロセッサとを備え、前記プロセッサは、
物理送信アンテナ要素交換が、前記受信されたアンテナ交換支援情報に少なくとも部分的に基づいて、前記少なくとも１つのセルによって使用されるかどうかを決定し、
単一のＰＲＳ測位オケージョン中の測定に基づいて決定される到達時間（ＴＯＡ）値のセットからＰＲＳに関するＴＯＡ値を選択することと、ここにおいて、物理送信アンテナ要素交換が前記少なくとも１つのセルによって使用される場合、前記ＰＲＳはモバイル局（ＭＳ）によって受信され、前記選択されたＴＯＡ値は、ＴＯＡ値の前記セットにおける他のＴＯＡ値よりも、前記ＰＲＳのソースと前記ＭＳとの間のより短い距離を示す、
を備えるモバイル局（ＭＳ）。
【請求項２７】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項２６に記載のモバイル局。
【請求項２８】
前記プロセッサは、前記選択されたＴＯＡ値および前記ＯＴＤＯＡ支援情報に部分的に基づいて、前記ＭＳの位置を決定するようにさらに構成される、請求項２６に記載のモバイル局。
【請求項２９】
トランシーバ手段と、ここにおいて、前記トランシーバ手段は、測位基準信号（ＰＲＳ）および観測到達時間差（ＯＴＤＯＡ）支援情報を受信するためのものであり、ここにおいて、前記ＯＴＤＯＡ支援情報は、少なくとも１つのセルに関するアンテナ交換支援情報を含むＰＲＳ支援情報を備える、
前記トランシーバ手段に結合された処理する手段とを備え、前記処理する手段は、
物理送信アンテナ要素交換が前記受信されたアンテナ交換支援情報に少なくとも部分的に基づいて、前記少なくとも１つのセルによって使用されるかどうかを決定するための手段と、
単一のＰＲＳ測位オケージョン中の測定に基づいて決定される到達時間（ＴＯＡ）値のセットからＰＲＳに関するＴＯＡ値を選択するための手段と、ここにおいて、物理送信アンテナ要素交換が前記少なくとも１つのセルによって使用される場合、前記ＰＲＳはモバイル局（ＭＳ）によって受信され、前記選択されたＴＯＡ値は、ＴＯＡ値の前記セットにおける他のＴＯＡ値よりも、前記ＰＲＳのソースと前記ＭＳとの間のより短い距離を示す、
を備えるモバイル局。
【請求項３０】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項２９に記載のモバイル局。
【請求項３１】
前記処理する手段は、前記選択されたＴＯＡ値および前記ＯＴＤＯＡ支援情報に部分的に基づいて、前記ＭＳの位置を決定するための手段をさらに備える、請求項２９に記載のモバイル局。
【請求項３２】
プロセッサによって実行されるときに方法におけるステップを実行する命令を備える、非一時的なコンピュータ可読媒体であって、前記ステップは、
モバイル局（ＭＳ）で観測到着時間差（ＯＴＤＯＡ）支援情報を受信することと、ここにおいて、前記ＯＴＤＯＡ支援情報は、少なくとも１つのセルに関するアンテナ交換支援情報を含む測位基準信号（ＰＲＳ）支援情報を備える、
物理送信アンテナ要素交換は、前記受信されたアンテナ交換支援情報に少なくとも部分的に基づいて、前記少なくとも１つのセルによって使用されるかどうかを決定することと、
物理送信アンテナ要素交換が前記少なくとも１つのセルによって使用される場合、単一のＰＲＳ測位オケージョン中の前記ＭＳにおける測定に基づいて決定される到達時間（ＴＯＡ）値のセットからＰＲＳに関するＴＯＡ値を選択することと、ここにおいて、前記ＰＲＳは前記ＭＳによって受信され、前記選択されたＴＯＡ値は、ＴＯＡ値の前記セットにおける他のＴＯＡ値よりも、前記ＰＲＳのソースと前記ＭＳとの間のより短い距離を示す、
を備える非一時的なコンピュータ可読媒体。
【請求項３３】
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、請求項３２に記載のコンピュータ可読媒体。
【請求項３４】
前記ＯＴＤＯＡ支援情報は、前記少なくとも１つのセルのための位置サーバによって送信される、請求項３２に記載のコンピュータ可読媒体。
【請求項３５】
前記選択されたＴＯＡ値および前記ＯＴＤＯＡ支援情報に部分的に基づいて、前記ＭＳの位置を決定すること、をさらに備える、請求項３２に記載のコンピュータ可読媒体。
【請求項３６】
単一のセルにサービス提供する複数の物理送信アンテナ要素を備えるシステムのための測位基準信号（ＰＲＳ）シーケンスを生成する方法であって、
前記複数の物理送信アンテナ要素のサブセットに特異の物理アンテナポート（ＰＡＰ）識別子（ＩＤ）を割り当てることと、
前記複数の物理送信アンテナ要素の前記サブセットのためのＰＲＳシーケンスを生成することと、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
を備える方法。
【請求項３７】
前記複数の物理送信アンテナ要素は、分散型アンテナシステム（ＤＡＳ）を備える、請求項３６に記載の方法。
【請求項３８】
前記複数の物理送信アンテナ要素は、遠隔ラジオヘッド（ＲＲＨ）を使用して実現される、請求項３６に記載の方法。
【請求項３９】
前記ＰＡＰ  ＩＤ（ｈ）は、位置サーバによって、前記対応する物理送信アンテナ要素に関する観測到着時間差（ＯＴＤＯＡ）支援情報の一部として送信される、請求項３６に記載の方法。
【請求項４０】
前記ＰＡＰ  ＩＤ（ｈ）は、モバイル局で複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として送信される、請求項３９に記載の方法。
【請求項４１】
前記複数の物理送信アンテナ要素の前記サブセットにおける前記複数の物理送信アンテナ要素のうちの少なくとも１つに関してｆ（ＰＡＰｈ）＝０である、請求項３６に記載の方法。
【請求項４２】
通信インタフェースと、ここにおいて、前記通信インタフェースは、モバイル局（ＭＳ）に観測到達時間差（ＯＴＤＯＡ）支援情報を送るためのものであり、ＯＴＤＯＡ支援情報は、物理アンテナポート（ＰＡＰ）識別子（ＩＤ）を備える、
前通信インタフェースに結合されたプロセッサとを備え、前記プロセッサは、
単一のセルにサービス提供する複数の物理送信アンテナ要素の各々に特異のＰＡＰ  ＩＤを割り当て、
前記複数の物理送信アンテナ要素のサブセットのためのＰＲＳシーケンスを生成する、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
ように構成される、装置。
【請求項４３】
前記複数の物理送信アンテナ要素は、分散型アンテナシステム（ＤＡＳ）を備える、請求項４２に記載の装置。
【請求項４４】
前記複数の物理送信アンテナ要素は、遠隔ラジオヘッド（ＲＲＨ）を使用して実現される、請求項４２に記載の装置。
【請求項４５】
前記装置は位置サーバである、請求項４２に記載の装置。
【請求項４６】
前記プロセッサは、前記ＭＳで複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として前記ＰＡＰ  ＩＤ（ｈ）を含むようにさらに構成される、請求項４５に記載の装置。
【請求項４７】
前記複数の物理送信アンテナ要素の前記サブセットにおける前記物理送信アンテナ要素のうちの少なくとも１つに関してｆ（ＰＡＰｈ）＝０である、請求項４２に記載の装置。
【請求項４８】
通信手段と、前記通信手段は、モバイル局（ＭＳ）に観測到達時間差（ＯＴＤＯＡ）支援情報を送るように構成され、ＯＴＤＯＡ支援情報は、物理アンテナポート（ＰＡＰ）識別子（ＩＤ）を備える、
前記通信手段に結合された処理する手段とを備え、前記処理する手段は、
単一のセルにサービス提供する複数の物理送信アンテナ要素の各々に特異のＰＡＰ  ＩＤを割り当てるための手段と、
前記複数の物理送信アンテナ要素のサブセットのためのＰＲＳシーケンスを生成するための手段と、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
をさらに備える、装置。
【請求項４９】
前記複数の物理送信アンテナ要素は、分散型アンテナシステム（ＤＡＳ）を備える、請求項４８に記載の装置。
【請求項５０】
前記複数の物理送信アンテナ要素は、遠隔ラジオヘッド（ＲＲＨ）を使用して実現される、請求項４８に記載の装置。
【請求項５１】
前記装置は位置サーバである、請求項４８に記載の装置。
【請求項５２】
前記処理する手段は、前記ＭＳで複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として前記ＰＡＰ  ＩＤ（ｈ）をさらに含む、請求項５１に記載の装置。
【請求項５３】
前記複数の物理送信アンテナ要素の前記サブセットにおける前記物理送信アンテナ要素のうちの少なくとも１つに関してｆ（ＰＡＰｈ）＝０である、請求項４８に記載の装置。
【請求項５４】
プロセッサによって実行されるときに、単一のセルにサービス提供する複数の物理送信アンテナ要素を備えるシステムのための測位基準信号（ＰＲＳ）シーケンスを生成する方法におけるステップを実行する命令を備える非一時的なコンピュータ可読媒体であって、前記ステップは、
前記複数の物理送信アンテナ要素のサブセットに特異の物理アンテナポート（ＰＡＰ）識別子（ＩＤ）を割り当てることと、
前記複数の物理送信アンテナ要素の前記サブセットのためのＰＲＳシーケンスを生成することと、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
を備える非一時的なコンピュータ可読媒体。
【請求項５５】
前記複数の物理送信アンテナ要素は、分散型アンテナシステム（ＤＡＳ）を備える、請求項５４に記載のコンピュータ可読媒体。
【請求項５６】
前記複数の物理送信アンテナ要素は、遠隔ラジオヘッド（ＲＲＨ）を使用して実現される、請求項５４に記載のコンピュータ可読媒体。
【請求項５７】
前記ＰＡＰ  ＩＤ（ｈ）は、位置サーバによって、前記対応する物理送信アンテナ要素に関する観測到着時間差（ＯＴＤＯＡ）支援情報の一部として送信される、請求項５４に記載のコンピュータ可読媒体。
【請求項５８】
前記ＰＡＰ  ＩＤ（ｈ）は、モバイル局で複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として送信される、請求項５７に記載のコンピュータ可読媒体。
【請求項５９】
前記複数の物理送信アンテナ要素の前記サブセットにおける前記物理送信アンテナ要素のうちの少なくとも１つに関してｆ（ＰＡＰｈ）＝０である、請求項５４に記載のコンピュータ可読媒体。
【発明の詳細な説明】
【関連出願の相互参照】
【０００１】
[0001]本出願は、２０１３年３月１２日付けで提出された、「Positioning Reference Signal (PRS) Generation for Multiple Transmit Antenna Systems」と題する米国出願第１３／７９７７５２号に基づく優先権および利益を主張し、米国出願第１３／７９７７５２号は同様に、２０１２年１２月２４日付けで提出された「Positioning Reference Signal (PRS) Generation for Multiple Transmit Antenna Systems」と題する米国仮出願第６１／７４５７４２号に優先権および利益を主張し、これらの両方ともこの譲受人に譲渡され、全体として本明細書に参照により組み込まれている。
【技術分野】
【０００２】
[0002]本明細書で開示されている主題は、複数送信アンテナシステムのための測位基準信号（ＰＲＳ）生成に関する。
【背景技術】
【０００３】
[0003]セルラ電話のような端末の位置を知ることは、多くの場合好ましい。例えば、位置サービス（ＬＣＳ）クライアントは、緊急サービス呼のケースにおいて端末の位置を知ること、またはナビゲーション支援または方向探知（direction finding）のような何らかのサービスを端末のユーザに提供すること、を望みうる。「位置」および「ポジション」という用語は同義であり、本明細書においては交換可能に使用される。
【０００４】
[0004]観測到達時間差（ＯＴＤＯＡ）に基づく測位では、モバイル局は、複数の基地局から受信される信号の時間差を測定することができる。基地局のポジションが知られているので、観測される時間差は、端末の位置を計算するために使用されうる。位置決定にさらに助力するために、測位基準信号（ＰＲＳ）が、ＯＴＤＯＡ測位パフォーマンスを向上させるように基地局（ＢＳ）によって、度々供給されうる。基準セル（例えば、サービス提供セル）および１つまたは複数の近隣セルからのＰＲＳの測定される到達時間差は、基準信号時間差（ＲＳＴＤ）として知られる。ＲＳＴＤ測定値、各セルの絶対または相対送信タイミング、および基準および近隣セルに対する（１つまたは複数の）ＢＳ物理送信アンテナ要素の（１つまたは複数の）既知のポジションを使用して、ＵＥのポジションが計算されうる。
【０００５】
[0005]しかしながら、基地局（ＢＳ）が複数物理送信アンテナ要素を使用し、物理送信アンテナ要素がＰＲＳオケージョン（occasion）間で交換されるとき、到着時間（ＴＯＡ）値を決定するために複数ＰＲＳオケージョンおよび複数ＰＲＳオケージョンをわたったコヒーレント平均化／積分を利用するＵＥは、種々の伝搬チャネルが種々のＰＲＳオケージョンに対して使用されてきたので、不正確な結果を取得しうる。同様に、従来の分散型アンテナシステム（ＤＡＳ）では、同じセルに属し、かつ同じセル物理セル識別子（ＰＣＩ）を共有する空間的に隔てられた物理送信アンテナ要素は、同じＰＲＳ信号を送信する。結果として従来のＤＡＳでは、ＤＡＳケースにおける信号送信機の位置は曖昧であり、ＵＥポジション計算は、誤っているまたは可能でない、ことがある。ポジション計算はまた、マクロセルカバレッジエリア内で低電力遠隔ラジオヘッド（ＲＲＨ）を使用する在来のシステムにおいても、空間的に隔てられたＲＲＨによって作り出される送信ポイントは、マクロセルと同じＰＣＩを有し、結果として同一のＰＲＳ信号を送信するので、曖昧である。
【０００６】
[0006]したがって、アンテナダイバーシティスキーム、ＤＡＳ、および／またはＲＲＳシステムが使用されている状況で、ポジション決定を向上させ、位置決定のためのＰＲＳ信号の使用を許可するための装置、システム、および方法を求める必要性が存在する。
【発明の概要】
【０００７】
[0007]いくつかの実施形態では、サーバからの観測到着時間差（ＯＴＤＯＡ）支援情報を提供する方法は、モバイル局（ＭＳ）にＯＴＤＯＡ支援情報を送ることを備え、ここにおいて、ＯＴＤＯＡ支援情報は、サーバによってサービス提供されるセルのサブセットにおける少なくとも１つのセルに関するアンテナ交換支援情報を含む測位基準信号（ＰＲＳ）支援情報を備える。一実施形態では、方法は、少なくとも１つのセルに対する位置サーバ上で実行されうる。
【０００８】
[0008]いくつかの実施形態では、アンテナ交換支援情報は、１つまたは複数のブーリアンパラメータをさらに備え、１つまたは複数のブーリアンパラメータの各々は、サーバによってサービス提供されるセルのサブセットにおける１つのセルに対応し、物理送信アンテナ要素交換が対応するセルのためのＰＲＳ測位オケージョンの間に生じるかどうかを示す。いくつかの実施形態では、アンテナ交換支援情報は、アンテナ交換間隔に関連する情報をさらに備えることができ、アンテナ交換間隔は、物理送信アンテナ要素が交換される前に少なくとも１つのセルにおける物理送信アンテナ要素上で送信される連続的なＰＲＳ測位オケージョンの数の観点から指定される。いくつかの実施形態では、アンテナ交換支援情報は、アンテナ交換パターン情報および／またはアンテナミューティングパターン情報のうちの少なくとも１つをさらに備えることができる。ＯＴＤＯＡ支援情報は、ロングタームエボリューション（ＬＴＥ（登録商標））測位プロトコル（ＬＰＰ）またはＬＰＰ拡張子（ＬＰＰｅ）メッセージを使用してＭＳに送られうる。
【０００９】
[0009]開示される実施形態はまた、通信インタフェースと、ここにおいて、通信インタフェースは、モバイル局に観測到達時間差（ＯＴＤＯＡ）支援情報を送るためのものであり、通信インタフェースに結合されたプロセッサと、ここにおいて、プロセッサは、サーバによってサービス提供されるセルのサブセットにおける少なくとも１つのセルに関するＯＴＤＯＡ支援情報を生成するように構成され、ＯＴＤＯＡ支援情報は、少なくとも１つのセルに関するアンテナ交換支援情報を含む測位基準信号（ＰＲＳ）支援情報を備える、を備えるサーバに関連する。
【００１０】
[0010]他の実施形態は、モバイル局に観測到達時間差（ＯＴＤＯＡ）支援情報を送るための手段と、ＯＴＤＯＡ支援情報を送るための手段に結合された処理する手段と、ここにおいて、処理する手段は、サーバによってサービス提供されるセルのサブセットにおける少なくとも１つのセルに関するＯＴＤＯＡ支援情報を生成するためのものであり、ＯＴＤＯＡ支援情報は、少なくとも１つのセルに関するアンテナ交換支援情報を含む測位基準信号（ＰＲＳ）支援情報を備える、を備えるサーバに関連する。
【００１１】
[0011]開示されている実施形態は、プロセッサによって実行されるときに、サーバからの観測到達時間差（ＯＴＤＯＡ）支援情報を提供するための方法におけるステップを実行する命令を備える非一時的なコンピュータ可読媒体に関連する。いくつかの実施形態では、ステップは、モバイル局にＯＴＤＯＡ支援情報を送ることを備えることができ、ＯＴＤＯＡ支援情報は、サーバによってサービス提供されるセルのサブセットにおける少なくとも１つのセルに関するアンテナ交換支援情報を含む測位基準信号（ＰＲＳ）支援情報を備える。
【００１２】
[0012]追加の実施形態は、モバイル局（ＭＳ）で観測到達時間差（ＯＴＤＯＡ）支援情報を受信することと、ここにおいて、ＯＴＤＯＡ支援情報は、少なくとも１つのセルに関するアンテナ交換支援情報を含む測位基準信号（ＰＲＳ）支援情報を備え、受信されたアンテナ交換支援情報に少なくとも部分的に基づいて、物理送信アンテナ要素交換が少なくとも１つのセルによって使用されるかどうかを決定することと、物理送信アンテナ要素交換が少なくとも１つのセルによって使用される場合、単一ＰＲＳ測位オケージョン中のＭＳにおける測定に基づいて決定された到達時間（ＴＯＡ）値のセットからＰＲＳに関するＴＯＡ値を選択することと、ここにおいて、ＰＲＳはＭＳによって受信され、選択されたＴＯＡ値は、ＴＯＡ値のセットにおける他のＴＯＡ値よりも、ＰＲＳのソースとＭＳとの間のより短い距離を示す、を備える方法に関連する。いくつかの実施形態では、ＯＴＤＯＡ支援情報は、少なくとも１つのセルに対する位置サーバによって送信されうる。いくつかの実施形態では、モバイル局のポジションは、ＯＴＤＯＡ支援情報に少なくとも部分的に基づいて決定されうる。
【００１３】
[0013]さらに開示されている実施形態は、測位基準信号（ＰＲＳ）および観測到達時間差（ＯＴＤＯＡ）支援情報を受信する能力を有するトランシーバと、ここにおいて、ＯＴＤＯＡ支援情報は、少なくとも１つのセルに関するアンテナ交換支援情報を含むＰＲＳ支援情報を備える、トランシーバに結合されたプロセッサと、を備えるモバイル局（ＭＳ）に関連する。いくつかの実施形態では、プロセッサは、受信されたアンテナ交換支援情報に少なくとも部分的に基づいて、物理送信アンテナ要素交換が少なくとも１つのセルによって使用されるかどうかを決定し、単一のＰＲＳ測位オケージョン中の測定に基づいて決定される到達時間（ＴＯＡ）値のセットからＰＲＳに関するＴＯＡ値を選択するように構成され、物理送信アンテナ要素交換が少なくとも１つのセルによって使用される場合、ＰＲＳはＭＳによって受信され、選択されたＴＯＡ値は、ＴＯＡ値のセットにおける他のＴＯＡ値よりも、ＰＲＳのソースとＭＳとの間のより短い距離を示す。
【００１４】
[0014]開示されている実施形態は、トランシーバ手段と、ここにおいて、トランシーバ手段は、測位基準信号（ＰＲＳ）および観測到達時間差（ＯＴＤＯＡ）支援情報を受信するためのものであり、ＯＴＤＯＡ支援情報は、少なくとも１つのセルに関するアンテナ交換支援情報を含むＰＲＳ支援情報を備える、トランシーバ手段に結合された処理する手段と、を備えるモバイル局に関連する。いくつかの実施形態では、処理する手段は、受信されたアンテナ交換支援情報に少なくとも部分的に基づいて、物理送信アンテナ要素交換が少なくとも１つのセルによって使用されるかどうかを決定するための手段と、単一のＰＲＳ測位オケージョン中の測定に基づいて決定される到達時間（ＴＯＡ）値のセットからＰＲＳに関するＴＯＡ値を選択するための手段と、ここにおいて、物理送信アンテナ要素交換が少なくとも１つのセルによって使用される場合、ＰＲＳはモバイル局（ＭＳ）によって受信され、選択されたＴＯＡ値は、ＴＯＡ値のセットにおける他のＴＯＡ値よりも、ＰＲＳのソースとＭＳとの間のより短い距離を示す、をさらに備えることができる。
【００１５】
[0015]さらに、開示されている実施形態は、プロセッサによって実行されるときに方法におけるステップを実行する命令を備える非一時的なコンピュータ可読媒体に関連し、それらのステップは、モバイル局（ＭＳ）で観測到達時間差（ＯＴＤＯＡ）支援情報を受信することと、ここにおいて、ＯＴＤＯＡ支援情報は、少なくとも１つのセルに関するアンテナ交換支援情報を含む測位基準信号（ＰＲＳ）支援情報を備える、受信されたアンテナ交換支援情報に少なくとも部分的に基づいて、物理送信アンテナ要素交換が少なくとも１つのセルによって使用されるかどうかを決定することと、物理送信アンテナ要素交換が少なくとも１つのセルによって使用される場合、単一ＰＲＳ測位オケージョン中のＭＳにおける測定に基づいて決定された到達時間（ＴＯＡ）値のセットからＰＲＳに関するＴＯＡ値を選択することと、ここにおいて、ＰＲＳはＭＳによって受信され、選択されたＴＯＡ値は、ＴＯＡ値のセットにおける他のＴＯＡ値よりも、ＰＲＳのソースとＭＳとの間のより短い距離を示す、を備えることができる。
【００１６】
[0016]いくつかの実施形態では、単一のセルにサービス提供する複数の物理送信アンテナ要素を備えるシステムのための測位基準信号（ＰＲＳ）シーケンスを生成する方法。いくつかの実施形態では、方法は、複数の物理送信アンテナ要素のサブセットに特異の物理アンテナポート（ＰＡＰ）識別子（ＩＤ）を割り当てることと、複数の物理送信アンテナ要素のサブセットのためのＰＲＳシーケンスを生成することと、を備えることができ、各ＰＲＳシーケンスは、複数の物理送信アンテナ要素のサブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、関数ｆ（ＰＡＰｈ）は、対応する物理送信アンテナ要素のＰＡＰ  ＩＤ（ｈ）に基づく。いくつかの実施形態では、ｆ（ＰＡＰｈ）は、サブセットにおける物理送信アンテナ要素のうちの少なくとも１つに関して０に設定されうる。
【００１７】
[0017]一実施形態では、複数の物理送信アンテナ要素は、分散型アンテナシステム（ＤＡＳ）を備えることができる。別の実施形態では、複数の物理送信アンテナ要素は、遠隔ラジオヘッド（ＲＲＨ）を使用して実現される。いくつかの実施形態では、ＰＡＰ  ＩＤは、位置サーバによって、観測到達時間差（ＯＴＤＯＡ）支援情報の一部として送信されうる。いくつかの事例では、位置サーバによるＰＡＰ  ＩＤの送信は、位置サーバと通信するモバイルデバイスで複製ＰＲＳシーケンスを生成する能力を示す受信された情報に少なくとも部分的に基づきうる。
【００１８】
[0018]開示されている実施形態はまた、モバイル局に観測到達時間差（ＯＴＤＯＡ）支援情報を送信する能力を有するトランシーバと、トランシーバに結合されたプロセッサと、ここにおいて、プロセッサは、少なくとも１つのセルに関するＯＴＤＯＡ支援情報を生成するように構成され、ＯＴＤＯＡ支援情報は、少なくとも１つのセルに関するアンテナ交換支援情報を含む測位基準信号（ＰＲＳ）支援情報を備える、を備える装置に関連する。
【００１９】
[0019]他の実施形態は、通信インタフェースと、ここにおいて、通信インタフェースは、モバイル局（ＭＳ）に観測到達時間差（ＯＴＤＯＡ）支援情報を送るためのものであり、ＯＴＤＯＡ支援情報は、物理アンテナポート（ＰＡＰ）識別子（ＩＤ）を備える、通信インタフェースに結合されたプロセッサと、を備える装置に関連する。いくつかの実施形態では、プロセッサは、単一のセルにサービス提供する複数の物理送信アンテナ要素の各々に特異のＰＡＰ  ＩＤを割り当て、複数の物理送信アンテナ要素のサブセットのためのＰＲＳシーケンスを生成するように構成され、各ＰＲＳシーケンスは、複数の物理送信アンテナ要素のサブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、関数ｆ（ＰＡＰｈ）は、対応する物理送信アンテナ要素のＰＡＰ  ＩＤ（ｈ）に基づく。
【００２０】
[0020]別の実施形態では、通信手段と、ここにおいて、通信手段は、モバイル局（ＭＳ）に観測到達時間差（ＯＴＤＯＡ）支援情報を送るように構成され、ＯＴＤＯＡ支援情報は、物理アンテナポート（ＰＡＰ）識別子（ＩＤ）を備える、通信手段に結合された処理する手段と、を備える装置が開示されている。いくつかの実施形態では、処理する手段は、単一のセルにサービス提供する複数の物理送信アンテナ要素の各々に特異のＰＡＰ  ＩＤを割り当てるための手段と、複数の物理送信アンテナ要素のサブセットのためのＰＲＳシーケンスを生成するための手段とをさらに備え、各ＰＲＳシーケンスは、複数の物理送信アンテナ要素のサブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、関数ｆ（ＰＡＰｈ）は、対応する物理送信アンテナ要素のＰＡＰ  ＩＤ（ｈ）に基づく。
【００２１】
[0021]開示されている実施形態はまた、プロセッサによって実行されるときに、単一のセルにサービス提供する複数の物理送信アンテナ要素を備えるシステムのための測位基準信号（ＰＲＳ）シーケンスを生成する方法におけるステップを実行する命令を備える非一時的なコンピュータ可読媒体に関連する。いくつかの実施形態では、ステップは、複数の物理送信アンテナ要素のサブセットに特異の物理アンテナポート（ＰＡＰ）識別子（ＩＤ）を割り当てることと、複数の物理送信アンテナ要素のサブセットのためのＰＲＳシーケンスを生成することと、を備えることができ、各ＰＲＳシーケンスは、複数の物理送信アンテナ要素のサブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、関数ｆ（ＰＡＰｈ）は、対応する物理送信アンテナ要素のＰＡＰ  ＩＤ（ｈ）に基づく。
【００２２】
[0022]開示されている方法は、ＬＰＰ、ＬＰＰｅ、または他のプロトコルを使用して、（位置サーバを含む）サーバ、モバイル局等、のうちの１つまたは複数によって実行されうる。開示される実施形態は、非一時的コンピュータ可読媒体またはコンピュータ可読メモリを使用してプロセッサによって作り出し、記憶、アクセス、読み取り、または変更されるソフトウェア、ファームウェア、およびプログラム命令に関する。
【図面の簡単な説明】
【００２３】
【図１Ａ】位置支援データまたは位置情報の転送を含む位置サービスをＵＥに提供するこ能力を有する典型的なシステムのアーキテクチャを図示している。
【図１Ｂ】ＵＥへの位置支援データまたは位置情報の転送を含むプロビジョン位置サービスを例示している簡略化されたブロック図である。
【図２】サーバからモバイル局への支援データの転送、およびモバイル局からサーバへの位置情報の転送をサポートする基礎的なプロシージャのメッセージフローを例示している。
【図３Ａ】高電力で放射する単一の物理送信アンテナ要素を有する在来の単一の物理送信アンテナ要素システムを図示している。
【図３Ｂ】４つの物理送信アンテナ要素を有する典型的な複数送信アンテナシステムを例示している。
【図４】単一のセルにサービス提供する複数ＲＲＨ送信機を有する典型的なＲＲＨシステムを例示している。
【図５Ａ】ＰＡＰ  ＩＤ０および１を用いた、アンテナ交換システムにおけるＰＲＳ送信に使用される論理アンテナポート６の、物理アンテナポート（ＰＡＰ）への典型的なマッピングを図示している。
【図５Ｂ】ＰＡＰ  ＩＤ０〜ＰＡＰ  ＩＤ５をそれぞれ用いた、ＤＡＳまたはＲＲＨシステムにおけるＰＲＳ送信に使用される論理アンテナポート６の、物理アンテナポートＰＡＰ０〜ＰＡＰ５への典型的なマッピングを図示している。
【図６Ａ】開示されている実施形態に一貫した方法でモバイル局のポジションを決定する典型的な方法のためのフローチャートを図示している。
【図６Ｂ】開示されている実施形態に一貫した方法でモバイル局のポジションを決定する典型的な方法のためのフローチャートを図示している。
【図７Ａ】開示されている実施形態に一貫した方法でモバイル局のポジションを決定する典型的な方法のためのフローチャートを図示している。
【図７Ｂ】開示されている実施形態に一貫した方法で位置推定プロシージャ中に使用されうる典型的な方法のためのフローチャートを図示している。
【図７Ｃ】複数の物理送信アンテナ要素を備えるシステムにおいて特異のＰＲＳシーケンスを生成する典型的な方法を図示している。
【図８】開示されている実施形態に一貫した方法で位置支援情報メッセージを受信し、位置決定をサポートする能力を有するモバイル局の概略的なブロック図である。
【図９】位置決定をサポートすることを可能にされた典型的なサーバのような装置を例示している概略的なブロック図である。
【発明を実施するための形態】
【００２４】
[0038]「モバイル局」（ＭＳ）、「ユーザ機器」（ＵＥ）、または「ターゲット」という用語は、本明細書において交換可能に使用され、セルラまたは他のワイヤレス通信デバイス、パーソナル通信システム（ＰＣＳ）デバイス、パーソナルナビゲーションデバイス（ＰＮＤ）、パーソナル情報マネージャ（ＰＩＭ）、パーソナルデジタルアシスタント（ＰＤＡ）、ラップトップ、あるいはワイヤレス通信および／またはナビゲーション信号を受信する能力を有する他の適したモバイルデバイスのようなデバイスを指すことができる。それらの用語はまた、衛星信号受信、支援データ受信、および／またはポジション関連処理が、デバイスで生じるかＰＮＤで生じるかに関わらず、例えば、短距離ワイレス、赤外線、ワイヤライン接続、または他の接続によって、パーソナルナビゲーションデバイス（ＰＮＤ）と通信するデバイスを含むようにも意図されている。
【００２５】
[0039]加えて、ＭＳ、ＵＥ、「モバイル局」、または「ターゲット」という用語は、衛星信号受信、支援データ受信、および／またはポジション関連処理が、デバイスで生じるか、サーバで生じるか、ネットワークに関連付けられた別のデバイスで生じるかに関わらずに、および例えば、インターネット、ＷｉＦｉ（登録商標）、セルラワイヤレスネットワーク、ＤＳＬネットワーク、パケットケーブルネットワーク、または他のネットワークを介してワイヤレスおよびワイヤライン通信デバイス、コンピュータ、ラップトップ等を含んで、すべてのデバイスを含むように意図されている。上記のあらゆる動作可能な組み合わせもまた「モバイル局」と認められる。
【００２６】
[0040]図１Ａは、いくつかの事例では位置サーバまたは別のネットワークエンティティの形式をとりうる、サーバ１５０とＭＳ１２０との間でロングタームエボリューション（ＬＴＥ）測位プロトコル（ＬＰＰ）またはＬＰＰ拡張子（ＬＰＰｅ）メッセージを使用して、位置支援データまたは位置情報の転送を含む位置サービスをＵＥに提供する能力を有するシステム１００のアーキテクチャを図示している。位置情報の転送は、ＭＳ１２０とサーバ１５０との両方に適切なレートで生じることができる。ＬＰＰプロトコルは周知であり、第３世代パートナーシッププロジェクト（３ＧＰＰ（登録商標））として知られている組織による様々な公的に利用可能な技術仕様書において説明されている。ＬＰＰｅは、オープンモバイルアライアンス（ＯＭＡ）によって定義されてきており、各組み合わされたＬＰＰ／ＬＰＰｅメッセージが、組み込まれたＬＰＰｅメッセージを備えるＬＰＰメッセージでありうるようにＬＰＰと組み合わせて使用されうる。
【００２７】
[0041]多くの事例において、ＢＳは、複数物理送信アンテナ要素１４０を使用することができる。例えば、都会環境では、大抵の場合、送信機とＭＳ１２０との間にクリアな見通し線（ＬＯＳ：line-of-sight）が存在しないことがあり、その結果信号が受信前に複数の経路に沿って反射されうる。これらの反射は、受信端末で互いを破壊的に妨げうる、位相シフト、時間遅延、減衰、および歪みを持ち込みうる。
【００２８】
[0042]いくつかの実施形態では、システム１００は、マルチパス干渉を低減するために、および他の理由のために、複数ＲＲＨ送信要素または複数物理送信アンテナ要素１４０−１、１４０−２、１４０−３、および１４０−４（時により集合的に、物理送信アンテナ要素１４０と称される）を有するＲＲＨシステムまたはＤＡＳ、および／またはアンテナダイバーシティスキームを使用することができる。例えば、システム１００は、共通のソースに接続された、空間的に隔てられた物理送信アンテナ要素１４０−１、１４０−２、１４０−３、および１４０−４のネットワークである、ＤＡＳでありうる。ＤＡＳは、セルにおける、高電力で放射する単一の物理送信アンテナ要素を、同じセルをカバーする物理送信アンテナ要素１４０−１、１４０−２、１４０−３、および１４０−４のグループと置き換えることができる。ＤＡＳは、単一の物理送信アンテナ要素と同じエリアをわたりながらも、低減された総電力および改善した信頼性を伴うカバレッジを許可しうる。例えば、単一の基地局および低電力物理送信アンテナ要素１４０−１、１４０−２、１４０−３、および１４０−４のグループは、ビル全体、街区、キャンパス、または別のエリアにワイヤレスカバレッジを提供するために使用されうる。
【００２９】
[0043]別の例として、システム１００は、ＢＳから物理的に遠隔にありうる無線送信機のネットワークが、光ファイバケーブルまたは他の高速度リンクを使用してＢＳに接続される遠隔ラジオヘッド（ＲＲＨ）システムの形式を取ることができる。例えば、複数物理送信アンテナ要素１４０またはＲＲＨ送信要素は、単一のセルに集合的にサービス提供することができ、ＲＲＨはＢＳのカバレッジをトンネル、地方のエリア等に拡張するために使用されうる。
【００３０】
[0044]簡略化のために、ただ１つのＭＳ１２０およびサーバ１５０が図１Ａに図示されている。概して、システム１００は、追加のネットワーク１３０を用いる複数セル、ＬＣＳクライアント１６０、モバイル局１２０、サーバ１５０、物理送信アンテナ要素１４０、およびスペースビークル（ＳＶ）１８０を備えることができる。システム１００は、本明細書で開示されている実施形態と一貫した方法で、単一の物理送信アンテナ要素、アンテナダイバーシティスキーム、ＤＡＳ、および／またはＲＲＨのうちの何らかの組み合わせを使用する、セルの混合（mix of cells）を備えることができる。
【００３１】
[0045]ＭＳ１２０は、ＬＴＥサービス提供ネットワークを用いて使用する、３ＧＰＰによって定義されている制御プレーン位置ソリューション、およびＯＭＡによって定義されているセキュアユーザプレーンロケーション（ＳＵＰＬ）位置ソリューションに限定はされないけれども含む、測位および位置サービスをサポートする１つまたは複数のネットワーク１３０を通じてサーバ１５０とワイヤレスに通信する能力を有しうる。例えば、位置サービス（ＬＣＳ）は、（位置サーバの形式をとりうる）サーバ１５０にアクセスし、ＭＳ１２０の位置を求める要求を発するＬＣＳクライアント１６０を利するように行われうる。サーバ１５０はその後、ＭＳ１２０に関する位置推定値を用いて、ＬＣＳクライアント１６０に応答することができる。ＬＣＳクライアント１６０はまた、例えば、サーバ１５０およびＭＳ１２０によって使用される位置ソリューションがＳＵＰＬであるとき、ＳＵＰＬエージェントとして知られうる。いくつかの実施形態では、ＭＳ１２０はまた、ＭＳ１２０内の何らかの測位対応機能に位置要求を発し、後に応えてＭＳ１２０に関する位置推定値を受信することができるＬＣＳクライアントまたはＳＵＰＬエージェント（図１Ａには図示せず）を含むこともできる。ＭＳ１２０内のＬＣＳクライアントまたはＳＵＰＬエージェントは、ＭＳ１２０のユーザのために位置サービスを実行することができ、例えば、ＭＳ１２０の近接内でナビゲーション方向を提供する、または関心のあるポイントを識別することができる。
【００３２】
[0046]本明細書で使用される場合、サーバ１５０は、ＳＵＰＬ位置プラットフォーム（ＳＬＰ：SUPL Location Platform）、進化型サービス提供モバイル位置センタ（ｅＳＭＬＣ：evolved Serving Mobile Location Center）、サービス提供モバイル位置センタ（ＳＭＬＣ）、ゲートウェイモバイル位置センタ（ＧＭＬＣ：Gateway Mobile Location Center）、ポジション決定エンティティ（ＰＤＥ：Position Determining Entity）、スタンドアローンＳＭＬＣ（ＳＡＳ）、および／または同様のものでありうる。
【００３３】
[0047]図１Ａで例示されているように、ＭＳ１２０は、ネットワーク１３０、およびネットワーク１３０に関連付けられうる物理送信アンテナ要素１４０を通じて、サーバ１５０と通信することができる。ＭＳ１２０は、物理送信アンテナ要素１４０から信号を受信し、測定することができ、それはポジション決定に使用されうる。いくつかの実施形態では、物理送信アンテナ要素１４０は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）等でありうる、ワイヤレス通信ネットワークの一部を形成することができる。「ネットワーク」および「システム」という用語は、度々、交換可能に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ロングタームエボリューション（ＬＴＥ）、ＷｉＭａｘ等でありうる。
【００３４】
[0048]ＣＤＭＡネットワークは、例えば、ｃｄｍａ２０００、広帯域−ＣＤＭＡ（Ｗ−ＣＤＭＡ（登録商標））等の、１つまたは複数の無線アクセス技術（ＲＡＴ）を実装しうる。ｃｄｍａ２０００は、ＩＳ−９５、ＩＳ−２０００、およびＩＳ−８５６規格を含む。ＴＤＭＡネットワークは、移動通信のためのグローバルシステム（ＧＳＭ（登録商標））、デジタルアドバンスドモバイル電話システム（Ｄ−ＡＭＰＳ：Digital Advanced Mobile Phone System）、または何らかの他のＲＡＴを実装しうる。ＧＳＭ、Ｗ−ＣＤＭＡ、およびＬＴＥは、３ＧＰＰによるドキュメントで説明されている。ｃｄｍａ２０００は、「第３世代パートナーシッププロジェクト２（３ＧＰＰ２）」という名称のコンソーシアムによるドキュメントで説明されている。３ＧＰＰおよび３ＧＰＰ２のドキュメントは、公的に利用可能である。ＷＬＡＮは、ＩＥＥＥ８０２．１１ｘネットワークであり、ＷＰＡＮは、ブルートゥース（登録商標）ネットワーク、ＩＥＥＥ８０２．１５ｘ、または何らかの他のタイプのネットワークでありうる。その技術はまた、ＷＷＡＮ、ＷＬＡＮ、および／またはＷＰＡＮのあらゆる組み合わせと連動して実行されうる。例えば、物理送信アンテナ要素１４０およびネットワーク１３０は、例えば、進化型ＵＭＴＳ地上無線アクセスネットワーク（Ｅ−ＵＴＲＡＮ）（ＬＴＥ）ネットワーク、Ｗ−ＣＤＭＡ  ＵＴＲＡＮネットワーク、ＧＳＭ／ＥＤＧＥ無線アクセスネットワーク（ＧＥＲＡＮ）、１ｘＲＴＴネットワーク、エボリューションデータ最適化（ＥｖＤＯ）ネットワーク、ＷｉＭａｘネットワーク、またはＷＬＡＮ、のうちの一部を形成することができる。
【００３５】
[0049]ＭＳ１２０はまた、衛星測位システム（ＳＰＳ）の一部でありうる、ＳＶ１８０と集合的に称される、１つまたは複数の地球周回スペースビークル（ＳＶ）１８０−１または１８０−２から信号を受信することもできる。例えば、ＳＶ１８０は、ＵＳ全世界測位システム（ＧＰＳ）、ヨーロッパのガリレオシステム、ロシアのグロナスシステム、または中国のコンパスシステムのような、グローバルナビゲーション衛星システム（ＧＮＳＳ）のコンステレーションにありうる。ある特定の態様にしたがって、本明細書で提示されている技法は、ＳＰＳのためのグローバルシステム（例えば、ＧＮＳＳ）に限定されない。例えば、本明細書において提供される技法は、例えば、日本上空における準天頂衛星システム（ＱＺＳＳ）、インド上空におけるインド地域航法衛星システム（ＩＲＮＳＳ）のような様々な地域システム、および／または、１つまたは複数の全地球および／または地域ナビゲーション衛星システムに関連付けられうる、あるいはそうでなければ１つまたは複数の全地球および／または地域ナビゲーション衛星システムとともに使用するために有効にされうる様々な補強システム（例えば、静止衛星型衛星航法補強システム（ＳＢＡＳ：Satellite Based Augmentation System））に適用されうる、またはそうでなければそれらのシステムにおいて使用するために有効にされうる。限定ではなく例として、ＳＢＡＳは、例えば、広域補強システム（ＷＡＳＳ）、欧州静止衛星航法オーバレイサービス（ＥＧＮＯＳ：European Geostatinary Navigation Overlay Service）、運輸多目的衛星用衛星航法補強システム（ＭＳＡＳ：Multi-functional Satellite Augmentation System）、ＧＰＳ支援静止衛星補強航法またはＧＰＳおよび静止衛星補強航法システム（ＧＡＧＡＮ：GPS Aided Geo Augmented Navigation or GPS and Geo Augmented Navigation system）、および／または同様のもののようなインテグリティ情報、微分補正、等を提供する（１つまたは複数の）補強システムを含むことができる。したがって、本明細書で使用される場合、ＳＰＳは、１つまたは複数の全世界および／または地域ナビゲーション衛星システムならびに／あるいは補強システムのあらゆる組み合わせを含むことができ、ＳＰＳ信号は、ＳＰＳ信号、ＳＰＳのような信号、および／またはそのような１つまたは複数のＳＰＳに関連付けられる他の信号を含むことができる。
【００３６】
[0050]図１Ｂは、ＭＳ１２０の位置を決定する能力を有するシステム１７５におけるいくつかのエンティティを例示している簡略化されたブロック図を図示している。図１Ｂを参照すると、ＭＳ１２０は、測定値および／または位置推定値１７３を取得するために、（１つまたは複数の）基準ソースからの信号を測定することができる。（１つまたは複数の）基準ソース１７０は、ネットワーク１３０に関連付けられた物理送信アンテナ要素１４０および／またはＳＶ１８０からの信号を表すことができる。したがって、ＭＳ１２０は、ＳＶ１８０に関する疑似範囲測定値、および／または物理送信アンテナ要素１４０からのＯＴＤＯＡ関連測定値を測定することによって、測定値１７２を取得することができる。いくつかの事例では、ＭＳ１２０はまた、ＭＳ１２０に関する推定される位置を導き出すための疑似範囲、および／またはＯＴＤＯＡ関連測定値でありうる、測定値１７２を使用することによって位置推定値１７３を取得することもできる。ＭＳ１２０は、位置推定値１７３または測定値１７２（例えば、１つまたは複数のＧＮＳＳからの衛星測定値、または１つまたは複数のネットワークからのＲＳＴＤのようなネットワーク測定値、等）のような位置関連情報を、サーバ１５０に提供することができる。
【００３７】
[0051]いくつかの事例では、ＭＳ１２０によって獲得されるＯＴＤＯＡ関連測定値は、ＭＳ１２０に関するポジション推定値を導き出すためにサーバ１５０に送られうる。サーバ１５０は、ＭＳ１２０が、ＳＶ１８０および物理送信アンテナ要素１４０からの信号を捕捉および測定することを、および／またはこれらの測定値１７２から位置推定値１７３を導き出す、またはリファインすることを支援するために使用されうる位置支援データ１７８、および／またはＭＳ１２０の近似位置のような位置関連情報をＭＳ１２０に提供することができる。例えば、いくつかの事例ではセキュアユーザプレーン（ＳＵＰＬ）対応端末（ＳＥＴ）の形式を取ることができるＭＳ１２０は、サーバ１５０と通信し、その後ＬＣＳクライアント１６０（図１Ｂには図示せず）に通信されうる、ＭＳ１２０に関する位置推定値を取得するために、位置支援データ１７８を使用することができる。
【００３８】
[0052]図１Ａを参照すると、いくつかの実施形態では、物理送信アンテナ要素１４０はまた、測位基準信号（ＰＲＳ）を送信することができる。３ＧＰＰロングタームエボリューション（ＬＴＥ）リリース９で定義されているＰＲＳは、測位オケージョンにグループ化される専用の測位サブフレームにおいて、基地局によって送信される。例えば、ＬＴＥでは、１つ、２つ、４つ、または６つの連続した測位サブフレームを備える測位オケージョンが、１６０、３２０、６４０、または１２８０ミリ秒間隔で周期的に生じる。
【００３９】
[0053]各測位オケージョン内で、ＰＲＳは、一定の電力を用いて送信される。ＰＲＳはまた、０電力で送信されうる（つまり、ミュートされうる）。定期的にスケジュールされたＰＲＳ送信を止めるミューティングは、セル間のＰＲＳパターンが重複するときに役立ちうる。ミューティングは、ＭＳ１２０による信号捕捉を補助する。ミューティングは、特定のセルにおける所与の測位オケージョンの間のＰＲＳの非送信（non-transmission）として見なされうる。ミューティングパターンは、ビットストリングを使用してＭＳ１２０にシグナリングされうる。例えば、ミューティングパターンをシグナリングするビットストリームでは、ポジションｊにおけるビットが「１」に設定される場合、ＭＳは、ＰＲＳがｊ番目の測位オケージョンの間にミュートされると推断しうる。
【００４０】
[0054]ＰＲＳのヒアアビリティ（hearability）をさらに向上させるために、測位サブフレームは、ユーザデータチャネルを用いずに送信される低干渉サブフレームでありうる。結果として、理想的に同期されたネットワークでは、ＰＲＳは、データ送信からでなく、同じＰＲＳパターンインデックスを有する（つまり、同じ周波数シフトを有する）他のセルＰＲＳから干渉を受け取りうる。周波数シフトは、物理セル識別子（ＰＣＩ）の関数として定義され、結果として６の効率周波数再使用ファクタになる。
【００４１】
[0055]セルによって送信されるＰＲＳシーケンスは、以下の通り、３ＧＰＰ規格および技術仕様書において指定されている。
【数１】
2018072343.tif 000003
【００４２】
ここにおいて、ｎｓは、無線フレーム内のスロット数（スロット＝０．５ｍｓ；フレーム＝１０ｍｓ）であり、ｎｓ＝０．．．１９である；ｌは、スロット内のＯＦＤＭシンボル数であり、通常のサイクリックプリフィックスに関してｌ＝０．．．６であり；拡張されたサイクリックプリフィックスに関してｌ＝０．．．５である。
【００４３】
ｃ（ｉ）は、長さ３１ゴールドシーケンスであり、
【数２】
2018072343.tif 000004
【００４４】
は、
【数３】
2018072343.tif 000005
【００４５】
の倍数で表現される、最大ダウンリンク帯域幅構成であり；
【数４】
2018072343.tif 000006
【００４６】
は、サブキャリアの数として表現される、周波数ドメインにおけるリソースブロックサイズである。
【数５】
2018072343.tif 000007
【００４７】
＝１５ｋＨｚ間隔（合計で１８０ｋＨｚ）でのＰＲＳのための１２個のサブキャリアである。
【００４８】
[0056]ゴールドシーケンスは、電気通信および衛星ナビゲーションで使用される２値のシーケンスであり、ゴールドコードシーケンスのセットが小さな有界相互相関（small bounded cross-correlations）を有するので、複数デバイスが同じ周波数範囲でブロードキャストするときに役立つ。
【００４９】
[0057]
ｃ（ｉ）のための疑似ランダムシーケンス生成器は、各ＯＦＤＭシンボルの開始時に
【数６】
2018072343.tif 000008
【００５０】
で初期化され、ここにおいて、
【数７】
2018072343.tif 000009
【数８】
2018072343.tif 000010
【００５１】
基準信号シーケンスは、スロットｎｓにおいて、アンテナポートｐ＝６に関する基準信号として使用される複素ＱＰＳＫ変調：
【数９】
2018072343.tif 000011
【００５２】
シンボルにマッピングされる：
【数１０】
2018072343.tif 000012
【００５３】
ここにおいて、通常のサイクリックプリフィックス：
【数１１】
2018072343.tif 000013
【００５４】
拡張されたサイクリックプリフィックス：
【数１２】
2018072343.tif 000014
【００５５】
[0058]測位基準信号のための帯域幅は、
【数１３】
2018072343.tif 000015
【００５６】
であり、セル特有周波数シフトは、
【数１４】
2018072343.tif 000016
【００５７】
によって与えられる。したがって、セルによって送信されるＰＲＳは、セルのフレームおよびスロットタイミング（ｎｓ，ｌ）、サイクリックプリフィックス長（ＮＣＰ）、およびＰＣＩ
【数１５】
2018072343.tif 000017
【００５８】
によって決定される。
【００５９】
[0059]例えば、連続した測位サブフレームの数、周期性、ミューティングパターン等の、ＰＲＳ構成パラメータは、ネットワーク１３０によって決められ、ＯＴＤＯＡ支援データの一部として、（例えば、サーバ１５０によって）ＭＳ１２０にシグナリングされうる。ＯＴＤＯＡ支援データは、基準セル情報（ＰＣＩ）、ならびに近隣セルのＰＣＩおよびそれらのセルに関するＰＲＳ構成パラメータを含む近隣セルリストを含むことができる。ＯＴＤＯＡ支援情報により、ＭＳは様々なセルから受信された信号上でいつ測位オケージョンが生じるかを決定し、ＴＯＡを測定するために様々なセルから送信されたＰＲＳシーケンスを決定することができるようになりうる。
【００６０】
[0060]従来のシステムでは、各物理送信アンテナ要素が種々の干渉環境を経験し、これによりＭＳ１２０に同じ信号のいくつかの観測を提供しうるので、アンテナダイバシティがマルチパス干渉を緩和するために度々使用される。例えば、１つの物理送信アンテナ要素がディープフェイドを経験している場合、別の物理送信アンテナ要素が端末で十分な信号を有している可能性がある。しかしながら従来のシステムでは、ＰＲＳが単一のアンテナポート−ポート６−から送信され、それにより、複数物理送信アンテナ要素からのダイバシティを利用することができない。この制限を克服するために、従来のシステムでは、基地局はＰＲＳのための物理送信アンテナ要素の交換を用い、ここにおいて、物理送信アンテナ要素はＰＲＳオケージョンの間で交換される。したがって、各ＰＲＳオケージョンは、単一の物理送信アンテナ要素から送信されることができるけれども、ＰＲＳオケージョンは、いくつかの物理送信アンテナ要素間で交互に起こる。上記の状況では、ＵＥが、到着時間（ＴＯＡ）値を決定するために、複数ＰＲＳオケージョン、および複数ＰＲＳオケージョンをわたったコヒーレント平均化／積分を使用する場合、コヒーレント平均化から取得されるＴＯＡ値は、種々のＰＲＳオケージョンに対する種々の伝搬チャネルの使用のせいで不正確であるだろう。
【００６１】
[0061]同様に、ＤＡＳを使用する従来のシステムでは、同じセルに属し、かつ同じセル物理セル識別子（ＰＣＩ）を共有する地理的に分散されたＤＡＳ物理送信アンテナ要素が同じＰＲＳ信号を送信するので、ＵＥは、個々のＤＡＳ要素と受信されたＰＲＳ信号を相関することができない。結果として、ＤＡＳケースにおける信号送信機の位置は曖昧であり、ＵＥポジション計算は可能ではないことがある。
【００６２】
[0062]ポジション計算はまた、遠隔ラジオヘッド（ＲＲＨｓ）によって作り出された送信ポイントがマクロセルと同じＰＣＩを有し、結果として同一のＰＲＳ信号を送信するので、マクロセルカバレッジエリア内で低電力ＲＲＨｓを使用する在来のシステムでも曖昧である。例えばこのことは、ＬＴＥアドバンスド協調マルチポイント（ＣｏＭＰ）送信を使用するいくつかのシナリオにおいて生じうる。これらのシナリオでは、ＵＥは個々のＲＲＨ要素と受信されたＰＲＳ信号を相関することができず、それにより位置計算における曖昧性を作り出すだろう。
【００６３】
[0063]したがって、いくつかの実施形態では、例えば、アンテナ交換が使用される状況において、ＯＴＤＯＡ支援情報は、ＰＲＳ送信のためのアンテナ交換がセルにおいて使用されるかどうかを示すアンテナ交換支援情報のような、ＰＲＳ支援情報を含むことができる。いくつかの実施形態では、ＭＳ１２０に送られるＰＲＳ支援データはまた、追加のアンテナ交換支援情報を含むこともできる。例えば、サーバ１５０は、ＬＰＰまたはＬＰＰｅプロトコルの一部として提供されるＯＴＤＯＡ支援データにおいてアンテナ交換支援情報を含むことができる。
【００６４】
[0064]一実施形態では、アンテナ交換支援情報は、ＰＲＳ測位オケージョン間でのアンテナ交換がセルにおいて生じるかどうかを示すブーリアンパラメータを含むことができる。アンテナ交換がセルにおいて生じる場合は、セルに関するブーリアンパラメータが真に設定されうる、またはアンテナ交換がセルにおいて生じない場合は偽に設定されうる。セルに関して真に設定される場合、ブーリアンパラメータは、複数ＰＲＳオケージョンをわたったコヒーレント平均化がそのセルに関して使用されるべきではないとＭＳ１２０に示すことができる。セルに関して偽に設定される場合、ブーリアンパラメータは、ＭＳ１２０が位置決定のためのＴＯＡ値を決定するために、複数ＰＲＳオケージョンを一貫して使用しうると示すことができる。
【００６５】
[0065]別の実施形態では、ＭＳ１２０は、到着時間（ＴＯＡ）を決定するために、単一のＰＲＳ測位オケージョンを使用することができる。アンテナ交換支援データが、アンテナ交換がＰＲＳオケージョン間で使用されると示す場合、ＭＳ１２０は、例えばＰＲＳオケージョン毎に１つのＴＯＡ値を決定することによって複数ＴＯＡ値を決定することができる。アンテナ交換のケースでは、ＰＲＳ測位オケージョンからの各ＴＯＡは、各ＰＲＳオケージョンが異なる干渉／チャネル環境を経験しうるので、僅かに異なりうる。ポジション計算の目的で、最短ＴＯＡ値が望まれるＬＯＳ遅延により近くありうるためで、ＵＥは、最後のＴＯＡ測定値として、ＴＯＡ値のセット中の最短ＴＯＡ値を選択しうる。
【００６６】
[0066]アンテナ交換支援データが、アンテナ交換がＰＲＳオケージョン間で使用されないと示す場合、ＭＳ１２０は、上記で説明されたように、ＴＯＡ値のセットを決定しないことがある。ＰＲＳが、（例えば、物理送信アンテナ要素交換なしで）単一の物理送信アンテナ要素から送信される場合、各ＰＲＳオケージョンは、本質的に同じ無線チャネルを経験し、それにより、複数ＴＯＡを決定することは利点ではないことがある。したがって、いくつかの実施形態では、ＭＳ１２０は、複数ＴＯＡ値の決定が役立ちうるかどうかを決めるためにアンテナ交換支援データを有利に使用することができ、それにより、アンテナ交換が使用されない状況で電力およびプロセッサリソースを節約することができる。
【００６７】
[0067]別の実施形態では、アンテナ交換支援情報は、アンテナ交換パターン情報を提供することができる。アンテナ交換パターン情報は、例えば、アンテナ交換が各ＰＲＳ測位オケージョンの間に実行されないけれども、物理送信アンテナ要素１４０−１、１４０−２、１４０−３、および／または１４０−４の間での交換が、ｒつのＰＲＳ測位オケージョン毎に生じ、ここにおいて、ｒ≧１は何らかの整数である状況において役立ちうる。例えば、ｒ＝２では、物理送信アンテナ要素１４０−１、１４０−２、１４０−３、および／または１４０−４の間での交換は、２つのＰＲＳ測位オケージョン毎に生じうる。
【００６８】
[0068]いくつかの実施形態では、アンテナ交換パターン情報は、ビットストリングの形式をとりうる。ビットストリングは、例えば、いつアンテナ交換が生じるか、および物理送信アンテナ要素がセルにおいて交換される前にいくつのＰＲＳ測位オケージョンが送信されるかを示すことができる。いくつかの実施形態では、アンテナ交換パターン情報は、行列を使用して提供されることができ、ここにおいて、その行列の各行は、アンテナ１４０−１、１４０−２、１４０−３、および１４０−４のうちの１つのような物理送信アンテナ要素を表し、各列はＰＲＳ測位オケージョンを表す。したがって、例えば、行列のｘ番目の行およびｙ番目の列上の位置（ｘ，ｙ）における「１」は、スケジューリングされたｙ番目のＰＲＳ測位オケージョンがｘ番目の物理送信アンテナ要素によって送信されると示すことができる一方で、位置（ｘ，ｙ）における「０」は、スケジューリングされたｙ番目の測位オケージョンＰＲＳオケージョンがｘ番目の物理送信アンテナ要素によって送信されないと示すことができる。いくつかの実施形態では、交換情報は、システムフレーム番号０（ＳＦＮ＝０）を有する無線フレームに関連して定義されうる。
【００６９】
[0069]例えば、２つの物理送信アンテナ要素を用いた事例では、ＰＲＳ測位オケージョン毎のアンテナ交換は
【数１６】
2018072343.tif 000018
【００７０】
によって示されうる。上記の例では、行列の各行は、物理送信アンテナ要素に対応することができ、行列の各列はＰＲＳオケージョンを示すことができる。上記の例では、交換は、ＰＲＳ測位オケージョン毎に生じる。
【００７１】
[0070]２つのＰＲＳ測位オケージョン毎のアンテナ交換を示す行列は、形式
【数１７】
2018072343.tif 000019
【００７２】
をとることができる。上記の行列は、物理送信アンテナ要素１４０−１が２番目の２つのＰＲＳ測位オケージョンの間にＰＲＳ測位情報を送信する一方で、物理送信アンテナ要素１４０−２が１番目の２つのＰＲＳ測位オケージョンの間にＰＲＳ測位情報を送信すると示すことができる。図３Ｂを参照すると、ＤＡＳ３５０では、物理送信アンテナ要素１４０−１、１４０−２、１４０−３、および１４０−４を用いて、２つのＰＲＳ測位オケージョン毎の交換を示す行列は、形式
【数１８】
2018072343.tif 000020
【００７３】
をとることができる。上記の行列は、物理送信アンテナ要素１４０−２が１番目の２つのＰＲＳ測位オケージョンの間に送信し、その後、次の２つのＰＲＳ測位オケージョンの間に送信する物理送信アンテナ要素１４０−１が続き、順に２つの後続のＰＲＳ測位オケージョンの間に物理送信アンテナ要素１４０−３が続き、そして、次の２つのＰＲＳ測位オケージョンの間に物理送信アンテナ要素１４０−４が続く、と示す。アンテナ交換パターンを指定する行列の使用は例示であり、説明の目的のみのためのものであり、様々な他の表現が、当業者には明らかであるだろうと考えられる。
【００７４】
[0071]３ＧＰＰ規格および技術仕様書はまた、ＭＳ１２０へのダウンリンクのための論理アンテナポートを定義する。「アンテナポート」または「論理アンテナポート」は概して、同一のチャネル条件の下での信号送信に関する総称の用語として使用される。アンテナポートは、物理送信アンテナ要素１４０または物理アンテナポート（ＰＡＰ）に動的にマッピングされる論理エンティティである。論理アンテナポートは、それらが転送する情報によって特徴付けられる論理チャネルとしてみなされうる一方で、物理送信アンテナ要素は、情報がどのように送信されるかによって特徴付けられるトランスポートチャネルとして見なされうる。したがって、物理送信アンテナ要素への論理アンテナポートの動的マッピングは、物理送信アンテナ要素に論理アンテナポートを割り当てることによって、トランスポートチャネルに論理チャネルをマッピングする。
【００７５】
[0072]独立チャネルが想定されるダウンリンク方向における各ＬＴＥオペレーティング／送信モード（例えば、単一入力単一出力（ＳＩＳＯ）対多入力多出力（ＭＩＭＯ））では、別個の論理アンテナポートが定義される。同一の論理アンテナポートを介して送信されるＬＴＥシンボルは、同じチャネル条件の影響を受ける。ＢＳの物理送信アンテナ要素への論理アンテナポートのマッピングは、ＢＳ実装に依存しうる。
【００７６】
[0073]例えば、物理送信アンテナ要素１４０がアンテナ１４０−１、１４０−２、１４０−３、および１４０−４を有するＤＡＳを表すいくつかの実施形態では、ＰＲＳ送信に使用される論理アンテナポート６は、物理アンテナポート（ＰＡＰ）にマッピングされ、ＰＲＳシーケンスは、物理アンテナポート識別子（ＰＡＰ  ＩＤ）の関数として生成されうる。同様に、セルが複数のＲＲＨによってサービス提供される状況では、ＲＲＨ上の論理アンテナポート６は、ＰＡＰにマッピングされ、ＰＲＳシーケンスは、ＰＡＰ  ＩＤの関数として生成されうる。例えば、一実装では、ＰＣＩ
【数１９】
2018072343.tif 000021
【００７７】
を有する特定のｅノードＢ（ＢＳ）のための異なる物理送信アンテナ要素でＰＲＳを区別するために、ＰＲＳシーケンスのための初期化シードは、ＰＡＰの関数でありうる。したがっていくつかの実施形態では、上記の初期化の式（２）におけるｃｉｎｉｔは、
【数２０】
2018072343.tif 000022
【００７８】
のようにＰＡＰに関して変更されうる、ここにおいて、ＰＡＰｈは、
【数２１】
2018072343.tif 000023
【００７９】
では、物理アンテナポートｈに対応し、
【数２２】
2018072343.tif 000024
【００８０】
は、物理アンテナポートの数である。上記の式（３）におけるｃｉｎｉｔがＰＡＰ  ＩＤ
ＰＡＰｈの関数であるので、いくつかの実施形態では、種々のＰＲＳシーケンスが、各ＤＡＳ物理送信アンテナ要素またはＲＲＨから送信されうる。
【００８１】
[0074]いくつかの実施形態では、サーバ１５０は、サーバ１５０によるＯＴＤＯＡ支援情報の一部として、ＰＡＰ  ＩＤを送信することができる。さらに、ＰＡＰ  ＩＤは、サーバ１５０と通信するＭＳ１２０で複製ＰＲＳシーケンスを生成する能力を示す受信された情報に部分的に基づいて、ＯＴＤＯＡ支援情報の一部として送信されうる。
【００８２】
[0075]いくつかの実施形態では、式（３）は、アンテナ交換が、ＰＡＰにアンテナをマッピングすること、およびＰＲＳオケージョンが物理送信アンテナ要素間で交互にミュートされる、各物理送信アンテナ要素のためのミューティングパターンを適用すること、に相当するものとして認められうるので、アンテナダイバーシティスキームを用いて使用されうる。いくつかの実施形態では、論理アンテナポート６は、交換される物理送信アンテナ要素の数に基づいて、複数ＰＡＰにマッピングされうる。例えば、２つの物理送信アンテナ要素のケースでは、論理アンテナポート６は２つのＰＡＰ、ＰＡＰ０およびＰＡＰ１に割り当てられうる。上記の式（３）にしたがうと、ＰＡＰ０およびＰＡＰ１は異なるＰＲＳシーケンスを送信するだろう。さらに上記の例では、いくつかの実施形態において、アンテナ交換は、１つのＰＡＰが他のＰＡＰのＰＲＳ送信中ミュートされると示すために、ＯＴＤＯＡ支援データで定義されるミューティングパターンを使用して示されうる。
【００８３】
[0076]種々のＰＲＳシーケンスが、（例えば、複数ＲＲＨを有するセルに関して）種々の位置で、物理送信アンテナ要素に各々が関連付けられた種々のＰＡＰによって、（上記で説明されたように）送信されるいくつかの実施形態では、追加のＯＴＤＯＡ支援データは、各ＰＲＳシーケンスの捕捉および測定を支援するためにＭＳ１２０に提供されうる。例として、各ＰＲＳシーケンスに関する概算の予測されるＲＳＴＤ、および／または物理送信アンテナ要素１４０の各々の位置または相対的な位置が提供されうる。
【００８４】
[0077]加えていくつかの実施形態では、レガシモバイル局が上記のＰＲＳ関連の変化によって影響されないことを確実にするために、ＰＡＰのためのモバイル局能力インジケーションがＬＰＰまたはＬＰＰｅで定義されるＯＴＤＯＡ能力に加えられうる。一実施形態では、例えばレガシサポートを確実にするために、ＰＡＰ  ＩＤ  ＰＡＰ０を有する物理送信アンテナ要素１４０−１のような、１つの物理送信アンテナ要素は、そのＰＲＳシーケンスを変化させず、これは、式（３）において、ｈ＝０ではｆ（ＰＡＰｈ）＝０と設定することによって達成されうる。したがって前の例では、ＰＲＳシーケンスは、ＰＡＰ０に関しては変更されず、これによりレガシモバイル局にサポートを提供することができる。
【００８５】
[0078]ＭＳ１２０からのモバイル局能力情報が、同じセル／ＰＣＩからのマルチＰＲＳシーケンス（つまり、単一のＰＣＩに対する複数ＰＲＳシーケンス）に対するサポートを示すいくつかの実施形態では、物理送信機位置がマルチＰＲＳシーケンスにマッピングされうるため、サーバ１５０は、ＯＴＤＯＡ支援データにそのようなセルを含むことができ、ＭＳ１２０は、ＤＡＳまたはＲＲＨシステムにおける送信機からのＯＴＤＯＡ測定に着手しうる。
【００８６】
[0079]ＭＳ１２０からのモバイル局能力情報が、同じセル／ＰＣＩからのマルチＰＲＳシーケンスに対するサポートの欠如を示す場合、サーバ１５０は、ＯＴＤＯＡ支援データにそのようなセルを含まないことがある。これ以前に概説されたように、ＯＴＤＯＡ測位は、ＤＡＳまたはＲＲＨを有するセルにおけるレガシモバイル局には実用的でないことがあるので、そのようなセルは、サーバ１５０によって提供されるＯＴＤＯＡ支援情報から既に除外されうる。したがって、ＯＴＤＯＡ支援データからのマルチＰＲＳセルの除外は、レガシモバイル局に対して最小のインパクトを及ぼしうる、または全くインパクトを及ぼさないことがある。
【００８７】
[0080]いくつかの実施形態では、ＭＳ１２０は、ＯＴＤＯＡ測定を行うために、ＰＲＳ支援情報、アンテナ交換支援情報、アンテナ交換パターン情報、および／またはミューティング情報、のうちの１つまたは複数を備えるＯＴＤＯＡ支援データおよび／またはマルチＰＲＳシーケンスと連動して、ＰＣＩを使用することができる。いくつかの実施形態では、ＭＳ１２０は、アンテナダイバシティ、ＤＡＳ、またはＲＲＨシステムを用いて、セル内の上記情報を使用してＯＴＤＯＡ測定を行うことができる。
【００８８】
[0081]いくつかの実施形態では、ＯＴＤＯＡ測定は、ＭＳ１２０の位置を決定するためにＭＳ１２０および／またはサーバ１５０によって使用されうる。ＯＴＤＯＡ測位では、セル、物理送信アンテナ要素１４０、またはＯＴＤＯＡ測定が行われるＲＲＨを一義的に識別することによって、ＭＳ１２０またはサーバ１５０は、物理送信アンテナ要素１４０の実際の位置を使用することができ、それはその後、ポジション計算のために利用されうる。
【００８９】
[0082]図２は、接続、および適用可能である場合、全データ転送中、確立されたままであるＭＳ１２０とサーバ１５０との間の位置セッションを使用して、サーバ１５０からＭＳ１２０への支援データの転送、およびＭＳ１２０からサーバ１５０への位置情報（例えば、ＲＳＴＤ測定値）の転送をサポートする基本のプロシージャのメッセージフローを例示している。例を目的として、メッセージフローはＬＰＰ／ＬＰＰｅ測位プロトコルメッセージとして説明されているけれども、他のタイプのメッセージ（例えばＬＰＰメッセージ）も、望まれる場合、使用されうることは理解されるべきである。
【００９０】
[0083]ステップ２１で、ＭＳ１２０のアンテナ交換支援データ能力およびマルチＰＲＳシーケンスを含むＬＰＰ／ＬＰＰｅ能力がサーバ１５０に知られていない場合、いくつかの実施形態では、サーバ１５０は、ＭＳ１２０にＬＰＰ／ＬＰＰｅ要求能力を送ることができる。ＭＳ１２０のＬＰＰ／ＬＰＰｅ能力を要求する、要求能力メッセージは、パラメータの中でも特に、ＰＡＰに対する能力インジケーションおよび／または同じセル／ＰＣＩからのマルチＰＲＳシーケンスに対するサポートを含む、ＯＴＤＯＡ能力を求める要求を含むことができる。
【００９１】
[0084]ＭＳ１２０は、メッセージフローのステップ２２において、サーバ１５０に送られるＬＰＰ／ＬＰＰｅ提供能力メッセージで応答することができる。説明されている実施形態のある特定の態様では、提供能力メッセージは、要求能力メッセージがステップ２１で送られない場合にステップ２２で要求されていないＭＳ１２０によって提供されうる。別の実施形態では、ステップ２２における提供能力メッセージは、ステップ２４において後に送られる支援データを求める要求と関連して、代わりとしてＭＳ１２０によって送られうる。提供能力メッセージは、パラメータの中でも特に、ＰＡＰに対する能力インジケーションおよび／または同じセル／ＰＣＩからのマルチＰＲＳシーケンスに対するサポートを含む、ＭＳ  ＯＴＤＯＡ能力のインジケーションを含む。
【００９２】
[0085]ステップ２１および２２に類似するけれども逆の方向へのメッセージ転送を伴うステップが、ＰＡＰに関する能力インジケーションおよび／または同じセル／ＰＣＩからのマルチＰＲＳシーケンスに対するサポートを含む、ＯＴＤＯＡ能力に対するサポートに関して、ＭＳ１２０にサーバ１５０のＬＰＰ／ＬＰＰｅ能力を転送するために、ステップ２１および２２の代わりに、またはステップ２１、および２２に加えて実行されうる。これらのステップは図２には図示されておらず、使用される場合、逆のＬＰＰｅモードを利用し、ここにおいてＭＳ１２０は、サーバ１５０からの能力を要求および受信することを可能にされうる。
【００９３】
[0086]メッセージフローのステップ２３では、サーバ１５０は、ＬＰＰ／ＬＰＰｅ要求位置情報メッセージにおいてＭＳ１２０から位置情報を要求する。位置情報を求める要求は、ＭＳ１２０によって実行されるべきＲＳＴＤ測定を求める要求を含むことができる。
【００９４】
[0087]いくつかの実施形態では、ＭＳ１２０は、ステップ２３で受信される要求を満たすためにＯＴＤＯＡ支援データを要求することができ、ステップ２４で、サーバ１５０に支援データを求めるＬＰＰ／ＬＰＰｅ要求を送ることができる。いくつかの実施形態では、ＭＳ１２０は、ＰＲＳ支援情報、アンテナ交換支援情報、アンテナ交換パターン情報、および／またはミューティング情報、のうちの１つまたは複数を備えるＯＴＤＯＡ支援データおよび／またはＰＡＰ支援情報のような、要求される特定の支援データを指定することができる。いくつかの実施形態では、ステップ２４は生じないことがあり、サーバ１５０は、要求されていないＭＳ１２０に支援データを送ることを決めることがある。
【００９５】
[0088]メッセージフローのステップ２５では、サーバ１５０は、ＭＳ１２０に転送されるべき支援データを取得することができる。ステップ２４が実行された場合、支援データは、サーバ１５０に利用可能でありうるＭＳ１２０によって要求される支援情報のすべてを備えることができる。ステップ２５で転送される支援データは、ＬＰＰ／ＬＰＰｅで定義されるＯＴＤＯＡ支援データを含むことができ、アンテナ交換およびＰＡＰ支援情報を含むこともできる。
【００９６】
[0089]ＭＳ１２０はその後、ステップ２５で受信されたＯＴＤＯＡ支援データに基づいて基準セルと複数近隣セルとの間のＲＳＴＤを測定することができる。いくつかの実施形態では、ＭＳ１２０は、上記で説明されているようにＲＳＴＤを決定するために、支援データに含まれるアンテナ交換情報を利用することができる。例えば、アンテナ交換が特定のセル上で使用される場合、ＭＳ１２０は、各セルに関するＴＯＡ値のセットを決定し、ＲＳＴＤ計算のためにこのセットから最後のＴＯＡを選択することができる。
【００９７】
[0090]ステップ２５で受信される支援データがマルチＰＲＳを示す場合、ＭＳ１２０は、式（３）のシードを使用して、それに応じて、ＴＯＡ推定のための複製ＰＲＳシーケンスを決定することができる。いくつかの実施形態では、式（３）におけるｆ（ＰＡＰｈ）は、例えば、ＰＣＩ等の他のＯＴＤＯＡ支援データと共に、ステップ２５で受信された支援データに含まれうる。
【００９８】
[0091]一度ＭＳ１２０がステップ２３で、例えばＲＳＴＤ測定値のような、サーバ１５０によって要求されるようなすべての測定値を決定してしまったとすると、それはステップ２６でサーバ１５０に、ＬＰＰ／ＬＰＰｅ提供位置情報メッセージにおいてそれらの測定値を送ることができる。ステップ２６におけるＬＰＰ／ＬＰＰｅ提供位置情報メッセージは、ＲＳＴＤが提供されるｆ（ＰＡＰｈ）およびＰＣＩのような、測定されたセルの識別とともに、ＲＳＴＤ測定値を含むことができる。いくつかの実施形態では、サーバ１５０は、ＭＳ１２０の位置を計算するために、ＢＳタイミング情報に加えて、ＭＳが測定を実行してしまっているアンテナ位置の情報と共に受信された測定値を使用することができる。サーバ１５０はその後、例えば、ＬＣＳクライアント１６０（図２には図示せず）にＭＳ１２０の計算された位置を提供することができる。
【００９９】
[0092]いくつかの実施形態では、ＭＳ１２０は、ＭＳ１２０の位置を計算し、場合によりサーバ１５０に推定された位置を報告するために、ＢＳタイミング情報に加えて、ＭＳ１２０が測定を実行してしまっているアンテナ位置の情報と共に測定値を使用することができる。いくつかの実施形態では、サーバ１５０は、ＬＣＳクライアント１６０にＭＳ位置情報を提供することができる。
【０１００】
[0093]図３ａは、高電力で放射する従来の単一の物理送信アンテナ要素２４０を伴う在来の単一の物理送信アンテナ要素システム３００を図示している。従来の単一の物理送信アンテナ要素２４０は、単一のセル／ＰＣＩのためのカバレッジを提供することができる。ＰＲＳおよびＯＴＤＯＡ測定を使用する従来の技法は、在来の単一の物理送信アンテナ要素システム３００において位置決定のためにＭＳ１２０によって利用されうる。
【０１０１】
[0094]図３ｂは、複数物理送信アンテナ要素１４０−１、１４０−２、１４０−３、および１４０−４を有するＤＡＳ３５０を例示している。ＤＡＳ３５０では、空間的に隔てられており、かつ共通のソースに接続されうる複数物理送信アンテナ要素１４０−１、１４０−２、１４０−３、および１４０−４は、従来の単一の物理送信アンテナ要素２４０を置き換え、同じセルのためのカバレッジを提供することができる。分散型アンテナシステム３５０では、送信される電力は、従来の単一物理送信アンテナ要素２４０と同じエリアをわたりながらも低減された総電力および改善した信頼性を伴うカバレッジを提供するために空間で隔てられうる物理送信アンテナ要素１４０の間で分散されうる。したがって、ＤＡＳ３５０は、同じエリアをカバーするために、低電力物理送信アンテナ要素１４０−１、１４０−２、１４０−３、および１４０−４のグループに、在来の単一の物理送信アンテナ要素システム３００を置き換えることによって実現されうる。
【０１０２】
[0095]通常、従来展開された単一セルＤＡＳでは、物理送信アンテナ要素１４０は、同じセル／ＰＣＩに位置付けられており、物理送信アンテナ要素１４０−１、１４０−２、１４０−３、および１４０−４は、すべて同じＰＲＳ信号を送信し、それにより、信号送信機の位置の精密な決定を妨害し、ＭＳポジション計算を実用的でなくしうる。
【０１０３】
[0096]図４は、単一のセルにサービス提供する複数のＲＲＨ送信機４２０−１、４２０−２．．．４２０−６を有するＲＲＨシステム４００を例示している。ＲＲＨシステム４００では、個々のＲＲＨ送信機４２０−１〜４２０−６は、ｅノードＢ（ＢＳ）４１０に対して遠隔であり、光コネクタ４３０を使用してｅノードＢ４１０に結合されうる。
【０１０４】
[0097]ＲＲＨが単一のセル／ＰＣＩにサービス提供する従来展開されたＲＲＨシステムでは、各ＲＲＨは、同じＰＲＳ信号を送信しうる。例えば、これより前に説明されたように、そのような状況は、ＲＲＨがマクロセルカバレッジエリア内のカバレッジを提供するＬＴＥアドバンスド協調マルチポイント（ＣｏＭＰ）送信において生まれうる。したがって上記の従来のシナリオでは、各ＲＲＨは同じＰＲＳ信号を送信し、それにより、信号送信機の位置の精密な決定を妨害し、ＭＳポジション計算を実用的でなくしうる。
【０１０５】
[0098]いくつかの実施形態では、ＤＡＳ３５０（図３Ｂ）またはＲＲＨシステム４００（図４）におけるＭＳ１２０のロバストポジション決定を許可するために、ＰＲＳ送信に使用される論理アンテナポート６は、物理アンテナポート（ＰＡＰ）にマッピングされ、ＰＲＳシーケンスは、ＰＡＰ  ＩＤの関数として生成されうる。同様に、セルが複数のＲＲＨによってサービス提供される状況では、ＲＲＨ上の論理アンテナポート６は、ＰＡＰにマッピングされ、ＰＲＳシーケンスは、ＰＡＰ  ＩＤの関数として生成されうる。したがって、これより前に論じられたように、初期化シードｃｉｎｉｔは、
【数２３】
2018072343.tif 000025
【０１０６】
と式（３）で提示されているように変更されうる。ｃｉｎｉｔがＰＡＰ  ＩＤ  ＰＡＰｈの関数であるので、いくつかの実施形態では、異なるＰＲＳシーケンスが、物理送信アンテナ要素１４０−１、１４０−２、１４０−３、および１４０−４の各々、または各ＲＲＨから、共通のＰＣＩを共有しているにもかかわらず送信されうる。
【０１０７】
[0099]異なるＰＲＳシーケンスが、上記で述べられたように、各物理送信アンテナ要素から送信されうるけれども、例えば、ＬＴＥシステムにおけるＰＲＳトーンは、ＰＣＩが上記で述べられたように６つの可能性のある周波数配列のうちの１つを決定するので、各物理送信アンテナ要素にとって同じでありうる。例えば、セル特有周波数シフトは、
【数２４】
2018072343.tif 000026
【０１０８】
によって与えられ、各物理送信アンテナ要素が同じＰＣＩ
【数２５】
2018072343.tif 000027
【０１０９】
を有するため、各物理送信アンテナ要素は、異なるＰＲＳシーケンスを、しかしながら同じ周波数配列（ｖshift）で、送信するだろう。したがって、ＰＲＳシーケンスがある物理送信アンテナ要素を他から区別するために使用されうるのに対して、いくつかの実施形態では、異なるミューティングパターンが、複数アンテナ要素からの周波数ドメインにおけるＰＲＳオケージョンを重複させることを回避するために同じＰＣＩに属する各アンテナ要素に利用されうる。したがって、ミューティングパターンは、異なる物理送信アンテナ要素から送信されるＰＲＳシーケンスを区別することをさらに容易にするために使用されうる。
【０１１０】
[00100]図５Ａは、アンテナ交換システムにおけるＰＲＳ送信に使用される論理アンテナポート６  ５２０  ６の、ＰＡＰ  ＩＤ０を有する物理アンテナポートＰＡＰ０  ５３０−０、およびＰＡＰ  ＩＤ１を有するＰＡＰ１  ５３０−１へのマッピング５００を図示している。図５Ａは、論理アンテナポート５２０−１〜５２０−８、および物理アンテナポート５３０を備える論理アンテナポート５２０を図示している。図５Ａでは、論理アンテナポート６は、ｅノードＢ５１０と同じＰＣＩを共有する。図５Ａは、論理アンテナポート６が、ＰＡＰ０  ５２０−０およびＰＡＰ１  ５３０−１としてそれぞれ図示されている２つの物理アンテナポート０および１にマッピングされうるように、２つの物理送信アンテナ要素１４０−１および１４０−２が存在することを想定している。図５Ａでは、ｆ（ＰＡＰ０）は単に、ＰＡＰ  ＩＤ０を有するＰＡＰ０に関してはｆ（ＰＡＰ０）＝０として、およびＰＡＰ  ＩＤ１を有するＰＡＰ１に関してはｆ（ＰＡＰ１）＝１として定義されている。したがって、図５Ａでは、各物理アンテナポート５３０−０および５３０−１は、それらが共通のＰＣＩを共有しているけれども、異なるＰＲＳシーケンスを送信するだろう。上記で説明されたように、ｆ（ＰＡＰｈ）が例示であり、かつ説明の目的のみのためのものであることは留意されたい。概して、ｆ（ＰＡＰｈ）は、線形関数、二次関数、多項式、または入力値としてＰＡＰ  ＩＤを使用し、かつ定義された出力値ｆ（ＰＡＰｈ）を提供するあらゆる他の数学関数のような、ＰＡＰ  ＩＤ  ｈの様々な数学関数に設定されうる。
【０１１１】
[00101]いくつかの実施形態では、ＰＡＰ  ＩＤは、適切なＬＰＰ／ＬＰＰｅプロトコルを使用してＯＴＤＯＡ支援データの一部として、ＭＳ１２０にサーバ１５０によって提供されうる。いくつかの実施形態では、ＯＴＤＯＡ支援データは、ＭＳ１２０が各個々のアンテナポートのための複製ＰＲＳ信号を決定することを可能にするために、ＰＡＰ  ＩＤ、または関数ｆ（ＰＡＰｈ）を含むことができる。
【０１１２】
[00102]いくつかの実施形態では、物理アンテナポート（ＰＡＰ）に論理アンテナポート６をマッピングし、ＰＡＰ  ＩＤの関数としてＰＲＳシーケンスを生成することによって、異なる物理位置におけるＴＸアンテナ（またはＲＲＨ）は、共通のＰＣＩを共有することにも関わらず、特異のＰＲＳ信号を送信することができることがある。
【０１１３】
[00103]図５Ｂは、ＤＡＳまたはＲＲＨシステムにおけるＰＲＳ送信に使用される論理アンテナポート６  ５２０  ６の、ＰＡＰ  ＩＤ０を有する物理アンテナポートＰＡＰ０  ５３０−０〜ＰＡＰ  ＩＤ５を有するＰＡＰ５  ５３０−５へのマッピング５５０を図示している。図５Ｂは、論理アンテナポート５２０−１〜５２０−８、および物理アンテナポート５３０−０〜５３０−５を備える論理アンテナポート５２０を図示している。図５Ｂでは、論理アンテナポート６は、ｅノードＢ５１０と同じＰＣＩを共有する。図５Ｂは、異なる物理位置に、６つの物理送信アンテナ要素１４０−１、１４０−２．．．１４０−６が存在することを想定している。図５Ｂで図示されているように、論理アンテナポート６は、ＰＡＰ０  ５３０−０〜ＰＡＰ５  ５３０−５としてそれぞれ図示されている６つの物理アンテナポート０〜５にマッピングされうる。
【０１１４】
[00104]図６Ａは、開示されている実施形態に一貫した方法でＭＳ１２０のポジションを決定する典型的な方法６００のためのフローチャートを図示している。いくつかの実施形態では、方法６００の部分は、ＭＳ１２０によって、ならびに／または、ＭＳ１２０、サーバ１５０、および／もしくは別のネットワークエンティティの何らかの組み合わせによって実行されうる。方法は、例えば、ＭＳ１２０が位置決定を開始する、および／またはＬＣＳクライアント１６０または別のネットワークエンティティがＭＳ１２０に関する位置情報を要求する、ステップ６１０で始まりうる。いくつかの実施形態では、方法６００の部分は、ＬＰＰまたはＬＬＰｅプロトコルを使用して実行されうる。
【０１１５】
[00105]次に、ステップ６２０で、能力情報を求める要求は、ＭＳ１２０によって受信されうる。例えば、ＭＳ１２０は、ＰＡＰのための能力インジケーションおよび／または同じセル／ＰＣＩからのマルチＰＲＳシーケンスに対するサポートを含む、限定はされないがＯＴＤＯＡ能力のような、ＭＳ１２０の能力を要求しうる、要求能力メッセージを受信することができる。
【０１１６】
[00106]ステップ６２５では、ＭＳ１２０は、記憶された能力情報に部分的に基づいて、ＭＳ１２０が、ＰＡＰ、同じセル／ＰＣＩからのマルチＰＲＳシーケンス、および／またはアンテナ交換支援データに関連するＯＴＤＯＡ支援情報をサポート／受信する能力を有するどうかを決定することができる。例えば、アンテナ交換支援情報は、１つまたは複数のセルに対応するブーリアンパラメータを備えることができる、１つまたは複数のセルに関するＰＲＳ支援情報を含むことができる。各ブーリアンパラメータは、アンテナ交換が、対応するセルのためのＰＲＳ測位オケージョン間で生じるかどうかを決定することができる。いくつかの実施形態では、アンテナ交換支援情報はまた、アンテナ交換間隔に関連する情報もまた含むことできる。アンテナ交換支援間隔は、物理送信アンテナ要素が交換される前に、少なくとも１つのセルにおける物理送信アンテナ要素上で送信される連続的なＰＲＳ測位オケージョンの数の観点から指定されうる。
【０１１７】
[00107]ＭＳ１２０が、それが、ＰＡＰ、同じセル／ＰＣＩからのマルチＰＲＳシーケンス、および／またはアンテナ交換支援データに関連するＯＴＤＯＡ支援情報をサポートする能力を有することを決定する（ステップ６３０における「Ｙ」）場合、ステップ６３０では、ＭＳ１２０は、ＬＰＰおよび／またはＬＰＰｅで定義されるＯＴＤＯＡ支援データを含むことができ、また同じセル／ＰＣＩからのマルチＰＲＳシーケンスに関連する支援情報、アンテナ交換支援データ、および／またはＰＡＰ支援情報も含むことができる、ＭＳ１２０によって要求される支援情報のすべてを受信することができる。
【０１１８】
[00108]ステップ６３５では、ＭＳ１２０は、ＯＴＤＯＡ支援データに基づいて基準セルと複数近隣セルとの間のＲＳＴＤを測定することができる。いくつかの実施形態では、ＭＳ１２０は、上記で説明されたようにＲＳＴＤを決定するために、支援データに含まれるアンテナ交換情報を利用することができる。一実施形態では、アンテナ交換が特定のセル上で使用される場合、ＭＳ１２０は、各セルに関するＴＯＡ値のセットを決定し、ＲＳＴＤ計算のためにこのセットから１つのＴＯＡを選択することができる。例えば、アンテナ交換が少なくとも１つのセルによって使用される場合、ＭＳ１２０は、単一のＰＲＳ測位オケージョン中のＭＳにおけるＰＲＳ関連測定に基づいて決定されたＴＯＡ値のセットからＰＲＳに関する到着時間値を選択することができる。いくつかの実施形態では、選択されたＴＯＡ値は、そのセットにおける他のＴＯＡ値よりもＰＲＳのソースとＭＳ１２０との間のより短い距離を示すことができる。
【０１１９】
[00109]ＭＳ１２０が、それがＰＡＰ、同じセル／ＰＣＩからのマルチＰＲＳシーケンス、および／またはアンテナ交換支援データ等に関連するＯＴＤＯＡ支援情報をサポートする能力がないことを決定する（ステップ６３０では「Ｎ」）場合、ステップ６５０では、いくつかの実施形態において、ＭＳ１２０がレガシ支援情報を受信することができる。例えば、いくつかの実施形態では、ＭＳ１２０は、ｆ（ＰＡＰ）＝０を設定することによって達成されうる、ｆ（ＰＡＰｈ）によって変更されないＰＲＳシーケンスを維持する物理送信アンテナ要素に関連する情報を受信することができる。例えば、ＭＳ１２０は、ｆ（ＰＡＰ）＝０である物理アンテナポートＰＡＰ０に関連する情報を提供されうる。次にステップ６５５では、ＭＳ１２０は、ステップ６５０で受信されるレガシ支援情報に基づいてＲＳＴＤを測定することができる。
【０１２０】
[00110]いくつかの実施形態では、ＭＳ１２０のポジションはその後、測定されたＲＳＴＤ情報を使用してステップ６４０で決定されうる。いくつかの実施形態では、ＭＳ１２０はそれ自身の位置を計算することができる。別の実施形態では、ＭＳ１２０のポジションは、測定されたＲＳＴＤ情報に基づいて、サーバ１５０によって計算されうる。方法は、ステップ６６０で終了しうる。方法６００は例示であり、様々な変更が、当業者には明らかであるように、ステップを組み合わせる、または除外することによってなされうる。例えば、どのレガシサポートも提供されないようないくつかの実施形態では、ステップ６５０および６５５は除外され、方法は、それが終了するステップ６６０に進むことができる。別の例として、方法は、位置支援に使用されるプロトコル、ＭＳ１２０の能力、および／またはサーバ１５０の能力に依存して変更されうる。
【０１２１】
[00111]図６Ｂは、開示されている実施形態に一貫した方法でＭＳ１２０のポジションを決定する別の典型的な方法６７５のためのフローチャートを図示している。いくつかの実施形態では、方法６００の部分は、ＭＳ１２０によって実行されうる。方法は、例えば、ＭＳ１２０が位置決定を開始する、および／またはＬＣＳクライアント１６０または別のネットワークエンティティがＭＳ１２０に関する位置情報を要求する、ステップ６１０で始まりうる。いくつかの実施形態では、方法６７５の部分は、ＬＰＰまたはＬＬＰｅプロトコルを使用して実行されうる。
【０１２２】
[00112]次にステップ６３０では、ＭＳ１２０は、ＬＰＰおよび／またはＬＰＰｅで定義されるＯＴＤＯＡ支援データを含むことができ、また同じセル／ＰＣＩからのマルチＰＲＳシーケンスに関連する支援情報、アンテナ交換支援データ、および／またはＰＡＰ支援情報も含むことができる、ＭＳ１２０によって要求される支援情報のすべてを受信することができる。例えば、ＭＳ１２０は、セルに関するアンテナ交換支援情報を含む測位基準信号（ＰＲＳ）支援情報を備えることができるＯＴＤＯＡ支援情報を受信することができる。
【０１２３】
[00113]ステップ６８５では、ＭＳ１２０は、物理送信アンテナ要素交換が、受信されたアンテナ交換支援情報に少なくとも部分的に基づいて、セルによって使用されるかどうかを決定することができる。
【０１２４】
[00114]次にステップ６９０では、物理送信アンテナ要素交換がセルによって使用される場合、ＭＳ１２０は、単一のＰＲＳ測位オケージョン中のＭＳにおける測定に基づいて決定される到達時間（ＴＯＡ）値のセットからＰＲＳに関するＴＯＡ値を選択することができ、ここにおいて、ＰＲＳはＭＳによって受信され、選択されたＴＯＡ値は、ＴＯＡ値のセットにおける他のＴＯＡ値よりも、ＰＲＳのソースとＭＳとの間のより短い距離を示す。いくつかの実施形態では、選択されたＴＯＡ値は、ＭＳ１２０の推定された位置を決定するために使用されうる。方法は、ステップ６６０で終了しうる。
【０１２５】
[00115]図７Ａは、開示されている実施形態に一貫した方法でＭＳ１２０のポジションを決定する典型的な方法７００のためのフローチャートを図示している。いくつかの実施形態では、方法７００の部分は、サーバ１５０によって実行されうる。方法は、例えば、サーバ１５０またはＭＳ１２０が位置決定を開始する、および／またはＬＣＳクライアント１６０または別のネットワークエンティティがＭＳ１２０に関する位置情報を要求する、ステップ７１０で始まりうる。いくつかの実施形態では、方法７００の部分は、ＬＰＰまたはＬＬＰｅプロトコルを使用して実行されうる。
【０１２６】
[00116]次にステップ７１５では、サーバ１５０は、ＭＳ１２０から能力情報を受信することができる。いくつかの実施形態では、能力情報は、サーバ１５０によって送られた以前の要求能力メッセージに応答して、提供能力メッセージで受信されうる。いくつかの実施形態では、サーバ１５０によって受信される能力情報は、限定されないが、ＰＡＰに対するサポートのインジケーション、アンテナ交換支援情報、および／または同じセル／ＰＣＩからのマルチＰＲＳシーケンスに対するサポートを含む、モバイル局のＯＴＤＯＡ能力に関連する情報を含むことができる。
【０１２７】
[00117]ステップ７２０では、サーバ１５０は、受信された能力情報に部分的に基づいて、ＭＳ１２０が、ＰＡＰ、同じセル／ＰＣＩからのマルチＰＲＳシーケンス、および／またはアンテナ交換支援データに関連するＯＴＤＯＡ支援情報をサポート／受信する能力を有するどうかを決定することができる。
【０１２８】
[00118]サーバ１５０が、ＭＳ１２０が、ＰＡＰ、同じセル／ＰＣＩからのマルチＰＲＳシーケンス、および／またはアンテナ交換支援データに関連するＯＴＤＯＡ支援情報をサポートする能力を有することを決定する（ステップ７２０における「Ｙ」）場合、ステップ７２５では、サーバ１５０は、ＬＰＰおよび／またはＬＰＰｅで定義されるＯＴＤＯＡ支援データを含むことができ、また同じセル／ＰＣＩからのマルチＰＲＳシーケンスに関連する支援情報、アンテナ交換支援データ、および／またはＰＡＰ支援情報も含むことができる、ＭＳ１２０によって要求される支援情報のすべてを送ることができる。いくつかの実施形態では、サーバ１５０は、ＯＴＤＯＡ支援情報の一部として、ＰＡＰ  ＩＤを送信することができる。さらに、ＰＡＰ  ＩＤは、サーバ１５０（例えば、位置サーバ）と通信するＭＳ１２０で複製ＰＲＳシーケンスを生成する能力を示す受信された情報に部分的に基づいて、ＯＴＤＯＡ支援情報の一部として送信されうる。いくつかの実施形態では、位置支援情報は、ＭＳ１２０に提供支援データメッセージにおいて送信されうる。
【０１２９】
[00119]サーバ１５０が、ＭＳ１２０がＰＡＰ、同じセル／ＰＣＩからのマルチＰＲＳシーケンス、および／またはアンテナ交換支援データに関連するＯＴＤＯＡ支援情報をサポートしないことを決定する（ステップ７２０では「Ｎ」）場合、ステップ７４０では、いくつかの実施形態において、サーバ１５０は、ＭＳ１２０にレガシ支援情報を送ることができる。例えば、いくつかの実施形態では、サーバ１５０は、ｆ（ＰＡＰ）＝０を設定することによって達成されうる、ｆ（ＰＡＰｈ）によって変更されないＰＲＳシーケンスを維持する物理送信アンテナ要素に関連する情報を送ることができる。例えば、サーバ１５０は、ｆ（ＰＡＰ）＝０である物理アンテナポートＰＡＰ０に関連する情報を送ることができる。
【０１３０】
[00120]次にステップ７３０では、サーバ１５０は、提供される支援情報に基づいてＭＳ１２０によって測定されるＲＳＴＤを受信することができる。ステップ７３５では、ＭＳ１２０の位置は、測定されたＲＳＴＤに基づいて決定されうる。例えば、アンテナ交換が特定のセル上で使用される場合、サーバ１５０は、提供されるＯＴＤＯＡ支援情報に基づいて、測定されたＴＯＡのセットからの１つのＴＯＡ値を受信することができる。
【０１３１】
[00121]いくつかの実施形態では、ＭＳ１２０のポジションはその後、測定されたＲＳＴＤ情報を使用してステップ７３５で決定されうる。いくつかの実施形態では、ＭＳ１２０は、それ自身の位置を計算し、サーバ１５０にその位置を中継することができる。別の実施形態では、ＭＳ１２０のポジションは、測定されたＲＳＴＤ情報に基づいて、サーバ１５０によって計算されうる。方法はその後、ステップ７５０で終了しうる。
【０１３２】
[00122]方法７００は例示であり、様々な変更が当業者には明らかであるように、ステップを組み合わせる、または除外することによってなされうる。例えば、どのレガシサポートも提供されないようないくつかの実施形態では、ステップ７４０は除外され、方法は、それが終了するステップ７５０に進むことができる。別の例として、方法は、位置支援に使用されるプロトコル、ＭＳ１２０の能力、および／または位置支援サーバの能力に依存して変更されうる。
【０１３３】
[00123]図７Ｂは、開示されている実施形態に一貫した方法で位置推定中に使用されうる典型的な方法７５５のためのフローチャートを図示している。いくつかの実施形態では、方法７５５の部分は、サーバ１５０によって実行されうる。方法は、例えば、サーバ１５０またはＭＳ１２０が位置決定を開始する、および／またはＬＣＳクライアント１６０または別のネットワークエンティティがＭＳ１２０に関する位置情報を要求する、ステップ７１０で始まりうる。いくつかの実施形態では、方法７５５の部分は、ＬＰＰまたはＬＬＰｅプロトコルを使用して実行されうる。
【０１３４】
[00124]次にステップ７２５では、サーバ１５０は、ＬＰＰおよび／またはＬＰＰｅで定義されるＯＴＤＯＡ支援データを含むことができ、また同じセル／ＰＣＩからのマルチＰＲＳシーケンスに関連する支援情報、アンテナ交換支援データ、および／またはＰＡＰ支援情報も含むことができる、ＭＳ１２０によって要求される支援情報のすべてを送ることができる。例えば、サーバ１５０は、ＭＳ１２０にＯＴＤＯＡ支援情報を送ることができ、ここにおいて、ＯＴＤＯＡ支援情報は、サーバ１５０によってサービス提供されるセルのサブセットにおける少なくとも１つのセルに関するアンテナ交換支援情報を含む測位基準信号（ＰＲＳ）支援情報を備えることができる。方法はその後、ステップ７５０で終了しうる。
【０１３５】
[00125]図７Ｃは、複数の物理送信アンテナ要素を備えるシステムにおいて特異のＰＲＳシーケンスを生成する典型的な方法７６０を図示している。いくつかの実施形態では、方法７６０の部分は、サーバ１５０によって実行されうる。方法は、例えば、サーバ１５０またはＭＳ１２０が位置決定を開始する、および／またはＬＣＳクライアント１６０または別のネットワークエンティティがＭＳ１２０に関する位置情報を要求する、ステップ７１０で始まりうる。いくつかの実施形態では、方法７６０の部分は、ＬＰＰまたはＬＬＰｅプロトコルを使用して実行されうる。
【０１３６】
[00126]次に、ステップ７６５では、サーバ５０は、複数の物理送信アンテナ要素のサブセットに特異のＰＡＰ  ＩＤを割り当てることができる。ステップ７７０では、サーバは、複数の物理送信アンテナ要素のサブセットのためのＰＲＳシーケンスを生成することができ、ここにおいて、各ＰＲＳシーケンスは、複数の物理送信アンテナ要素のサブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、関数ｆ（ＰＡＰｈ）は、対応する物理送信アンテナ要素のＰＡＰ  ＩＤ（ｈ）に基づく。方法は、ステップ７７５で終了しうる。
【０１３７】
[00127]図８は、開示されている実施形態と一貫した方法で、アンテナダイバシティ、ＤＡＳ、および／またはＲＲＨを有するシステムにおいてＰＲＳ支援情報を使用してＯＴＤＯＡ測定をサポートすることを可能にされるＭＳ１２０のある特定の典型的な特徴を例示している概略ブロック図を図示している。ＭＳ１２０は、例えば、１つまたは複数の接続手段３０６（例えば、バス、配線（ｌｉｎｅｓ）、ファイバ、リンク等）を用い非一時的なコンピュータ可読媒体３２０およびメモリ３０４に結合されうる、１つまたは複数の処理ユニット３０２、メモリ３４０、トランシーバ３１０（例えば、ワイヤレスネットワークインタフェース）、および（適用可能であれば）ＳＰＳ受信機３４０を含むことができる。ある特定の例となる実装では、ＭＳ１２０のすべてまたは一部は、チップセット、および／または同様のものの形式をとることができる。ＳＰＳ受信機３４０は、１つまたは複数のＳＰＳリソースと関連付けられた信号を受信することを可能にされうる。トランシーバ３１０は、例えば、１つまたは複数のタイプのワイヤレス通信ネットワークをわたって１つまたは複数の信号を送信することを可能にされた送信機３１２、および１つまたは複数のタイプのワイヤレス通信ネットワークをわたって送信された１つまたは複数の信号を受信するための受信機３１４を含むことができる。
【０１３８】
[00128]処理ユニット３０２は、ハードウェア、ファームウェア、およびソフトウェアの組み合わせを使用して実装されうる。いくつかの実施形態では、処理ユニット３０２は、ＰＲＳ支援情報を含む、受信されたＯＴＤＯＡ支援情報を処理することができる、ＭＳ  ＰＲＳ支援データモジュール３１６を含むことができる。例えば、ＭＳ  ＰＲＳ支援データモジュール３１６は、アンテナ交換パターン情報およびアンテナミューティング情報を含む、アンテナ交換支援情報を備えるＰＲＳ支援情報を処理することができる。いくつかの実施形態では、ＭＳ  ＰＲＳ支援データモジュール３１６は、ＯＴＤＯＡ支援情報の一部として受信された関数ｆ（ＰＡＰｈ）、および／またはＰＡＰ  ＩＤを処理することもできる。処理ユニット３０２はまた、直接、または図８で図示されている１つまたは複数の他の機能ブロックと連動して、のどちらかで、支援情報を含む様々な他の受信されたＬＰＰ／ＬＰＰｅメッセージを処理する能力を有することもできる。いくつかの実施形態では、処理ユニット３０２は、ＭＳ１２０の動作に関するプロシージャまたはプロセスを計算するデータ信号の少なくとも一部を実行するように設定可能な１つまたは複数の回路を表すことができる。
【０１３９】
[00129]いくつかの実施形態では、ＭＳ１２０は、内部または外部にありうる１つまたは複数のＭＳアンテナ（図示せず）を含むことができる。ＭＳアンテナは、トランシーバ３１０および／またはＳＰＳ受信機３４０によって処理される信号を送信および／または受信するために使用されうる。いくつかの実施形態では、ＭＳアンテナは、トランシーバ３１０およびＳＰＳ受信機３４０に結合されうる。いくつかの実施形態では、ＭＳ１２０によって受信（送信）された信号の測定値は、ＭＳアンテナとトランシーバ３１０の接続のポイントで実行されうる。例えば、受信（送信）されたＲＦ信号測定値に関する基準の測定ポイントは、受信機３１４（送信機３１２）の入力（出力）端末、およびＭＳアンテナの出力（入力）端末でありうる。複数ＭＳアンテナまたはアンテナアレイを有するＭＳ１２０では、アンテナコネクタは、複数ＭＳアンテナのアグリゲート出力（入力）を表す仮想のポイントとして見なされうる。いくつかの実施形態では、ＭＳ１２０は、信号強度およびＴＯＡ測定値を含む受信された信号を測定することができ、生の測定値が処理ユニット３０２によって処理されうる。
【０１４０】
[00130]本明細書で説明されている方法は、アプリケーションに依存して様々な手段によって実行されうる。例えば、これらの方法は、ハードウェア、ファームウェア、ソフトウェア、またはそれらのあらゆる組み合わせで実行されうる。ハードウェア実装では、処理ユニット３０２は、１つまたは複数の特定用途向け集積回路（ＡＳＩＣ）、デジタルシグナルプロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明されている機能を実行するよう設計された他の電子ユニット、またはそれらの組み合わせ内で実装されうる。
【０１４１】
[00131]ファームウェアおよび／またはソフトウェア実装では、方法は、本明細書で説明されている機能を実行するモジュール（例えば、プロシージャ、関数、等）を用いて実行されうる。命令を有形に具現化するいずれの機械可読媒体も、本明細書で説明されている方法を実行する際に使用されうる。例えば、ソフトウェアコードは、処理ユニット３０２に接続される非一時的なコンピュータ可読媒体３２０、またはメモリ３０４に記憶され、処理ユニット３０２によって実行されうる。メモリは、プロセッサユニット内で、またはプロセッサユニットの外部に実装されうる。本明細書で使用される場合、「メモリ」という用語は、任意のタイプの長期、短期、揮発性、不揮発性、または他のメモリを指し、いずれの特定のタイプのメモリまたはメモリの数、あるいはメモリが記憶される媒体のタイプにも限定されるものではない。
【０１４２】
[00132]ファームウェアおよび／またはソフトウェアで実装される場合、機能は、媒体３２０および／またはメモリ３０４のような、非一時的なコンピュータ可読媒体上に１つまたは複数の命令、またはプログラムコード３０８として記憶されうる。例は、データ構造を用いて符号化されるコンピュータ可読媒体およびコンピュータプログラム３０８を用いて符号化されるコンピュータ可読媒体を含む。例えば、プログラムコード３０８を記憶した非一時的なコンピュータ可読媒体は、開示されている実施形態と一貫した方法で、アンテナダイバシティ、ＤＡＳ、および／またはＲＲＨを有するシステムにおいてＰＲＳ支援情報を使用してＯＴＤＯＡ測定をサポートするためのプログラムコード３０８を含むことができる。非一時的なコンピュータ可読媒体３２０は、物理コンピュータ記憶媒体を含む。記憶媒体は、コンピュータによってアクセスされることができる任意の利用可能な媒体でありうる。限定ではなく例として、そのような非一時的なコンピュータ可読媒体は、ＲＡＭ、ＲＯＭ、ＥＥＰＲＯＭ（登録商標）、ＣＤ−ＲＯＭ、または他の光学ディスク記憶装置、磁気ディスク記憶装置または他の磁気記憶デバイス、あるいは命令もしくはデータ構造の形式で所望のプログラムコード３０８を記憶するよう使用されることができ、コンピュータによってアクセスされることができる任意の他の媒体を備えることができる；ディスク（disk）およびディスク（disc）は、本明細書において使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイディスク（disc）を含み、ここにおいてディスク（disk）は通常、磁気的にデータを再生するけれども、ディスク（disc）は、レーザーを用いて光学的にデータを再生する。上記の組み合わせもまた、コンピュータ可読媒体の範囲内に含まれるべきである。
【０１４３】
[00133]コンピュータ可読媒体３２０上の記憶装置に加えて、命令および／またはデータは、通信装置に含まれる送信媒体上で信号としても提供されうる。例えば、通信装置は、命令およびデータを示す信号を有するトランシーバ３１０を含むことができる。命令およびデータは、１つまたは複数のプロセッサに、特許請求の範囲で概説される機能を実行させるように構成される。すなわち、通信装置は、開示されている機能を実行するための情報を示す信号を用いる送信媒体を含む。
【０１４４】
[00134]メモリ３０４は、あらゆるデータ記憶メカニズムを表すことができる。メモリ３０４は、例えば、一次メモリおよび／または二次メモリを含むことができる。一次メモリは、例えば、ランダムアクセスメモリ、読取専用メモリ、等を含むことができる。この例では処理ユニット３０２とは別個であるとして例示されているけれども、一次メモリのすべてまたは一部が、処理ユニット３０２内で提供されうる、あるいはそうでなければ処理ユニット３０２と同じ場所に位置付けられうる／処理ユニット３０２と結合されうる、ことは理解されるべきである。二次メモリは、例えば、一次メモリ、および／または、例えばディスクドライブ、光学ディスクドライブ、テープドライブ、ソリッドステートメモリドライブ、等のような１つまたは複数のデータ記憶デバイスもしくはシステムと同じまたは類似のタイプのメモリを含むことができる。
【０１４５】
[00135]ある特定の実装では、二次メモリは、非一時的なコンピュータ可読媒体３２０を動作的に受け入れ可能でありうる、またはそうでなければ非一時的なコンピュータ可読媒体３２０に結合するように設定可能でありうる。このようにある特定の例となる実装では、本明細書で提示されている方法および／または装置は、少なくとも１つの処理ユニット３０２によって実行される場合に、本明細書で説明されているような例となる動作のすべておよび一部を実行することを動作するように可能にされうる、コンピュータ実装可能命令３０８を記憶しうるコンピュータ可読媒体３２０の形式を、全体または一部としてとることができる。コンピュータ可読媒体３２０は、メモリ３０４の一部でありうる。
【０１４６】
[00136]次に、図９に対して参照がなされ、これは、開示されている実施形態と一貫した方法で、アンテナダイバシティ、ＤＡＳ、および／またはＲＲＨを有するシステムにおいてＰＲＳ支援情報を使用してＯＴＤＯＡ測定をサポートすることを可能にされるサーバ１５０を例示している概略ブロック図である。いくつかの実施形態では、サーバ１５０は、例えば、１つまたは複数の接続手段３５６（例えば、バス、配線、ファイバ、リンク等）を用いて動作可能に結合されうる、１つまたは複数の処理ユニット３５２、メモリ３５４、記憶装置３６０、および（適用可能であれば）通信インタフェース３９０（例えば、ワイヤラインまたはワイヤレスネットワークインタフェース）を含むことができる。ある特定の例となる実装では、サーバ１５０のいくらかの部分は、チップセット、および／または同様のものの形式をとることができる。
【０１４７】
[00137]通信インタフェース３９０は、ワイヤード送信および／または受信をサポートする様々なワイヤードおよびワイヤレス接続手段を含むことができ、必要に応じて、１つまたは複数のタイプのワイヤレス通信ネットワークをわたって、１つまたは複数の信号の送信および受信を追加で、または代わりとしてサポートすることができる。通信インタフェース３９０はまた、様々な他のコンピュータおよび周辺機器との通信のためのインタフェースを含むこともできる。例えば一実施形態では、通信インタフェース３９０は、サーバ１５０によって実行された通信機能の１つまたは複数を実行する、ネットワークインタフェースカード、入出力カード、チップ、および／またはＡＳＩＣを備えることができる。いくつかの実施形態では、通信インタフェース３９０はまた、ネットワークで基地局によって使用される、ＰＣＩ、設定されたＰＲＳ情報、および／またはタイミング情報のような、様々なネットワーク構成関連情報を取得するために、ネットワーク１３０とインタフェースで接続することもできる。例えば、通信インタフェース３９０は、ネットワーク１３０で基地局からＰＣＩ、設定されたＰＲＳ、タイミングおよび／または他の情報を取得するために、３ＧＰＰ  ＴＳ  ３６．４５５で定義されているＬＰＰ添付文書（ＬＰＰａ）プロトコルまたはこのプロトコルの改良を使用することができる。処理ユニット３５２は、開示されている実施形態と一貫した方法で、ＯＴＤＯＡ支援データ情報を生成するために受信された情報のいくらか、またはすべてを使用することができる。
【０１４８】
[00138]処理ユニット３５２は、ハードウェア、ファームウェア、およびソフトウェアの組み合わせを使用して実装されうる。いくつかの実施形態では、処理ユニット３５２は、モバイル局１２０への送信のためにＰＲＳ支援情報を含む、ＯＴＤＯＡ支援情報を生成することができる、サーバＰＲＳ支援データモジュール３６６を含むことができる。例えば、サーバＰＲＳ支援データモジュール３６６は、アンテナ交換支援情報およびアンテナ交換パターン情報を備えるＰＲＳ支援情報を生成および／またはフォーマットすることができる。いくつかの実施形態では、サーバＰＲＳ支援データモジュール３６６はまた、モバイル局１２０への送信のために、ＯＴＤＯＡ支援情報の一部として、ＰＡＰ  ＩＤ、または関数ｆ（ＰＡＰｈ）を生成することもできる。処理ユニット３５２はまた、直接、または図９で図示されている１つまたは複数の他の機能ブロックと連動して、のどちらかで、様々な他のＬＰＰ／ＬＰＰｅ支援情報を処理する能力を有することもできる。いくつかの実施形態では、処理ユニット３５２は、ロングタームエボリューション（ＬＴＥ）測位プロトコル（ＬＰＰ）またはＬＰＰ拡張子（ＬＰＰｅ）メッセージとして、ＯＴＤＯＡ支援情報を生成することができる。いくつかの実施形態では、処理ユニット３５２は、サーバ１５０の動作に関するプロシージャまたはプロセスを計算するデータ信号の少なくとも一部を実行するように設定可能な１つまたは複数の回路を表すことができる。
【０１４９】
[00139]フローチャートおよびメッセージフローにおいて本明細書で説明されている方法は、アプリケーションに依存して様々な手段によって実行されうる。例えば、これらの方法は、ハードウェア、ファームウェア、ソフトウェア、またはそれらのあらゆる組み合わせで実行されうる。ハードウェア実装では、処理ユニット３５２は、１つまたは複数の特定用途向け集積回路（ＡＳＩＣ）、デジタルシグナルプロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明されている機能を実行するよう設計された他の電子ユニット、またはそれらの組み合わせ内で実装されうる。
【０１５０】
[00140]ファームウェアおよび／またはソフトウェア実装では、方法は、本明細書で説明されている機能を実行するモジュール（例えば、プロシージャ、関数、等）を用いて実行されうる。命令を有形に具現化するいずれの機械可読媒体も、本明細書で説明されている方法を実行する際に使用されうる。例えば、ソフトウェアは、リムーバブル媒体を含む、非一時的なコンピュータ可読媒体３５８の使用をサポートすることができる、リムーバブル媒体ドライブ３７０に記憶されうる。プログラムコードは、非一時的なコンピュータ可読媒体３５８またはメモリ３５４上に存在し、処理ユニット３５２によって読み取りおよび実行されうる。メモリは、処理ユニット３５２内で、または処理ユニット３５２の外部に実装されうる。本明細書で使用される場合、「メモリ」という用語は、任意のタイプの長期、短期、揮発性、不揮発性、または他のメモリを指し、いずれの特定のタイプのメモリまたはメモリの数、あるいはメモリが記憶される媒体のタイプにも限定されるものではない。
【０１５１】
[00141]ファームウェアおよび／またはソフトウェアで実装される場合、機能は、非一時的なコンピュータ可読媒体３５８および／またはメモリ３５４上に１つまたは複数の命令、またはコードとして記憶されうる。例は、データ構造を用いて符号化されるコンピュータ可読媒体およびコンピュータプログラムを用いて符号化されるコンピュータ可読媒体を含む。例えば、プログラムコードを記憶した非一時的なコンピュータ可読媒体３５８は、開示されている実施形態と一貫した方法で、アンテナダイバシティ、ＤＡＳ、および／またはＲＲＨを有するシステムにおいてＰＲＳ支援情報を使用してＯＴＤＯＡ測定をサポートするためのプログラムコードを含むことができる。
【０１５２】
[00142]非一時的なコンピュータ可読媒体は、様々な物理コンピュータ記憶媒体を含む。記憶媒体は、コンピュータによってアクセスされることができる任意の利用可能な媒体でありうる。限定ではなく例として、そのような非一時的なコンピュータ可読媒体は、ＲＡＭ、ＲＯＭ、ＥＥＰＲＯＭ、ＣＤ−ＲＯＭ、または他の光学ディスク記憶装置、磁気ディスク記憶装置または他の磁気記憶デバイス、あるいは命令もしくはデータ構造の形式で所望のプログラムコードを記憶するよう使用されることができ、コンピュータによってアクセスされることができる任意の他の媒体を備えることができる；ディスク（disk）およびディスク（disc）は、本明細書において使用される場合、コンパクトディスク（disc）（ＣＤ）、レーザーディスク（disc）、光学ディスク（disc）、デジタル多用途ディスク (disc)（ＤＶＤ）、フロッピーディスク（disk）、およびブルーレイディスク（disc）を含み、ここにおいてディスク（disk）は通常、磁気的にデータを再生するけれども、ディスク（disc）は、レーザーを用いて光学的にデータを再生する。非一時的なコンピュータ可読媒体の他の実施形態は、フラッシュドライブ、ＵＳＢドライブ、ソリッドステートドライブ、メモリカード等を含む。上記の組み合わせもまた、コンピュータ可読媒体の範囲内に含まれるべきである。
【０１５３】
[00143]コンピュータ可読媒体上の記憶装置に加えて、命令および／またはデータは、メモリ３５４、記憶装置３６０に命令／データを記憶することができ、実行のために処理ユニット３５２に命令／データを中継した、通信インタフェース３９０に送信媒体上で信号として提供されうる。例えば、通信インタフェース３９０は、命令およびデータを示すワイヤレスまたはネットワーク信号を受信することができる。命令およびデータは、１つまたは複数のプロセッサに、特許請求の範囲で概説される機能を実行させるように構成される。すなわち、通信装置は、開示されている機能を実行するための情報を示す信号を用いる送信媒体を含む。
【０１５４】
[00144]メモリ３５４は、あらゆるデータ記憶メカニズムを表すことができる。メモリ３５４は、例えば、一次メモリおよび／または二次メモリを含むことができる。一次メモリは、例えば、ランダムアクセスメモリ、読み取り専用メモリ、非揮発性ＲＡＭ等を含むことができる。この例では処理ユニット３５２とは別個であるとして例示されているけれども、一次メモリのすべてまたは一部が、処理ユニット３５２内で提供されうる、あるいはそうでなければ処理ユニット３５２と同じ場所に位置付けられうる／処理ユニット３５２と結合されうる、ことは理解されるべきである。二次メモリは、例えば、一次メモリ、および／または、例えばハードディスクドライブ、光学ディスクドライブ、テープドライブ、ソリッドステートメモリドライブ、等を含む１つまたは複数のデータ記憶デバイス３６０のような記憶装置３６０、と同じまたは類似のタイプのメモリを含むことができる。いくつかの実施形態では、記憶装置３６０は、システム１００および／またはより広いセルラネットワークにおける様々なエンティティに関連する情報を保持することができる１つまたは複数のデータベースを備えることができる。いくつかの実施形態では、データベースにおける情報は、ＭＳ１２０の能力、サーバ１５０の能力を記憶すること、ＯＴＤＯＡ支援データを生成すること、ＭＳ１２０の位置を計算すること、等を含む、様々な計算中に処理ユニット３５２によって読み取り、使用、および／または更新されうる。
【０１５５】
[00145]ある特定の実装では、二次メモリは、非一時的なコンピュータ可読媒体３５８を動作的に受け入れ可能でありうる、またはそうでなければ非一時的なコンピュータ可読媒体３５８に結合するように設定可能でありうる。このようにある特定の例となる実装では、本明細書で提示されている方法および／または装置は、少なくとも１つの処理ユニット３５２によって実行される場合に、本明細書で説明されているような例となる動作のすべておよび一部を実行することを動作するように可能にされうる、コンピュータ実装可能命令を記憶した非一時的なコンピュータ可読媒体３５８を含むことができるリムーバブル媒体ドライブ３７０の形式を、全体または一部としてとることができる。コンピュータ可読媒体３５８は、メモリ３５４の一部でありうる。
【０１５６】
[00146]本発明は、教示の目的ために指定の実施形態に関係して例示されているけれども、本発明は、それらに限定されない。本発明の範囲から逸脱することなく様々な適応および変更が行われうる。したがって、添付の特許請求の範囲の趣旨および範囲は、前述の説明に限定されるべきではない。
【図１Ａ】
2018072343.tif 000028
【図１Ｂ】
2018072343.tif 000029
【図２】
2018072343.tif 000030
【図３Ａ】
2018072343.tif 000031
【図３Ｂ】
2018072343.tif 000032
【図４】
2018072343.tif 000033
【図５Ａ】
2018072343.tif 000034
【図５Ｂ】
2018072343.tif 000035
【図６Ａ】
2018072343.tif 000036
【図６Ｂ】
2018072343.tif 000037
【図７Ａ】
2018072343.tif 000038
【図７Ｂ】
2018072343.tif 000039
【図７Ｃ】
2018072343.tif 000040
【図８】
2018072343.tif 000041
【図９】
2018072343.tif 000042
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
単一のセルにサービス提供する複数の物理送信アンテナ要素を備えるシステムのための測位基準信号（ＰＲＳ）シーケンスを生成する方法であって、
前記複数の物理送信アンテナ要素のサブセットに特異の物理アンテナポート（ＰＡＰ）識別子（ＩＤ）を割り当てることと、
前記複数の物理送信アンテナ要素の前記サブセットのためのＰＲＳシーケンスを生成することと、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
を備える方法。
【請求項２】
前記複数の物理送信アンテナ要素は、分散型アンテナシステム（ＤＡＳ）を備える、請求項１に記載の方法。
【請求項３】
前記複数の物理送信アンテナ要素は、遠隔ラジオヘッド（ＲＲＨ）を使用して実現される、請求項１に記載の方法。
【請求項４】
前記ＰＡＰ  ＩＤ（ｈ）は、位置サーバによって、前記対応する物理送信アンテナ要素に関する観測到着時間差（ＯＴＤＯＡ）支援情報の一部として送信される、請求項１に記載の方法。
【請求項５】
前記ＰＡＰ  ＩＤ（ｈ）は、モバイル局で複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として送信される、請求項４に記載の方法。
【請求項６】
前記複数の物理送信アンテナ要素の前記サブセットにおける前記複数の物理送信アンテナ要素のうちの少なくとも１つに関してｆ（ＰＡＰｈ）＝０である、請求項１に記載の方法。
【請求項７】
通信インタフェースと、ここにおいて、前記通信インタフェースは、モバイル局（ＭＳ）に観測到着時間差（ＯＴＤＯＡ）支援情報を送るためのものであり、ＯＴＤＯＡ支援情報は、物理アンテナポート（ＰＡＰ）識別子（ＩＤ）を備える、
前記通信インタフェースに結合されたプロセッサと
を備え、前記プロセッサは、
単一のセルにサービス提供する複数の物理送信アンテナ要素の各々に特異のＰＡＰ  ＩＤを割り当て、
前記複数の物理送信アンテナ要素のサブセットのためのＰＲＳシーケンスを生成する、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
ように構成される、装置。
【請求項８】
前記複数の物理送信アンテナ要素は、分散型アンテナシステム（ＤＡＳ）を備える、請求項７に記載の装置。
【請求項９】
前記複数の物理送信アンテナ要素は、遠隔ラジオヘッド（ＲＲＨ）を使用して実現される、請求項７に記載の装置。
【請求項１０】
前記装置は位置サーバである、請求項７に記載の装置。
【請求項１１】
前記プロセッサは、前記ＭＳで複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として前記ＰＡＰ  ＩＤ（ｈ）を含むようにさらに構成される、請求項１０に記載の装置。
【請求項１２】
前記複数の物理送信アンテナ要素の前記サブセットにおける前記物理送信アンテナ要素のうちの少なくとも１つに関してｆ（ＰＡＰｈ）＝０である、請求項７に記載の装置。
【請求項１３】
通信手段と、前記通信手段は、モバイル局（ＭＳ）に観測到着時間差（ＯＴＤＯＡ）支援情報を送るように構成され、ＯＴＤＯＡ支援情報は、物理アンテナポート（ＰＡＰ）識別子（ＩＤ）を備える、
前記通信手段に結合された処理する手段と
を備え、前記処理する手段は、
単一のセルにサービス提供する複数の物理送信アンテナ要素の各々に特異のＰＡＰ  ＩＤを割り当てるための手段と、
前記複数の物理送信アンテナ要素のサブセットのためのＰＲＳシーケンスを生成するための手段と、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
をさらに備える、装置。
【請求項１４】
前記複数の物理送信アンテナ要素は、分散型アンテナシステム（ＤＡＳ）を備える、請求項１３に記載の装置。
【請求項１５】
前記複数の物理送信アンテナ要素は、遠隔ラジオヘッド（ＲＲＨ）を使用して実現される、請求項１３に記載の装置。
【請求項１６】
前記装置は位置サーバである、請求項１３に記載の装置。
【請求項１７】
前記処理する手段は、前記ＭＳで複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として前記ＰＡＰ  ＩＤ（ｈ）をさらに含む、請求項１６に記載の装置。
【請求項１８】
前記複数の物理送信アンテナ要素の前記サブセットにおける前記物理送信アンテナ要素のうちの少なくとも１つに関してｆ（ＰＡＰｈ）＝０である、請求項１３に記載の装置。
【請求項１９】
プロセッサによって実行されるときに、単一のセルにサービス提供する複数の物理送信アンテナ要素を備えるシステムのための測位基準信号（ＰＲＳ）シーケンスを生成する方法におけるステップを実行する命令を備える非一時的なコンピュータ可読媒体であって、前記ステップは、
前記複数の物理送信アンテナ要素のサブセットに特異の物理アンテナポート（ＰＡＰ）識別子（ＩＤ）を割り当てることと、
前記複数の物理送信アンテナ要素の前記サブセットのためのＰＲＳシーケンスを生成することと、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
を備える非一時的なコンピュータ可読媒体。
【請求項２０】
前記複数の物理送信アンテナ要素は、分散型アンテナシステム（ＤＡＳ）を備える、請求項１９に記載のコンピュータ可読媒体。
【請求項２１】
前記複数の物理送信アンテナ要素は、遠隔ラジオヘッド（ＲＲＨ）を使用して実現される、請求項１９に記載のコンピュータ可読媒体。
【請求項２２】
前記ＰＡＰ  ＩＤ（ｈ）は、位置サーバによって、前記対応する物理送信アンテナ要素に関する観測到着時間差（ＯＴＤＯＡ）支援情報の一部として送信される、請求項１９に記載のコンピュータ可読媒体。
【請求項２３】
前記ＰＡＰ  ＩＤ（ｈ）は、モバイル局で複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として送信される、請求項２２に記載のコンピュータ可読媒体。
【請求項２４】
前記複数の物理送信アンテナ要素の前記サブセットにおける前記物理送信アンテナ要素のうちの少なくとも１つに関してｆ（ＰＡＰｈ）＝０である、請求項１９に記載のコンピュータ可読媒体。
【請求項２５】
セルから複数の測位基準信号（ＰＲＳ）シーケンスを受信すること、ここにおいて、前記受信された複数のＰＲＳシーケンスにおける各ＰＲＳシーケンスは、対応する関数ｆ（ＰＡＰｈ）に部分的に基づき、前記対応する関数ｆ（ＰＡＰｈ）は、
対応するＰＲＳシーケンスのための長さ３１ゴールドシーケンスのためのシードに追加され、
前記セルにおける対応する物理送信アンテナ要素のＰＡＰ  ＩＤ（ｈ）に基づく、
を備える、モバイル局での方法。
【請求項２６】
前記モバイル局において、前記対応する物理送信アンテナ要素に関する前記ＰＡＰ  ＩＤ（ｈ）を備える観測到着時間差（ＯＴＤＯＡ）支援情報を受信することをさらに備える、
請求項２５に記載の方法。
【請求項２７】
前記対応する物理送信アンテナ要素に関する前記ＰＡＰ  ＩＤ（ｈ）に基づいて、対応する複製のＰＲＳシーケンスを生成することをさらに備える、
請求項２６に記載の方法。
【請求項２８】
セルから複数の測位基準信号（ＰＲＳ）シーケンスを受信するように構成されたトランシーバと、ここにおいて、前記受信された複数のＰＲＳシーケンスにおける各ＰＲＳシーケンスは、対応する関数ｆ（ＰＡＰｈ）に部分的に基づき、前記対応する関数ｆ（ＰＡＰｈ）は、
対応するＰＲＳシーケンスのための長さ３１ゴールドシーケンスのためのシードに追加され、
前記セルにおける対応する物理送信アンテナ要素のＰＡＰ  ＩＤ（ｈ）に基づく、
前記トランシーバに結合されたプロセッサと、ここにおいて、前記プロセッサは、
前記トランシーバによって、前記複数のＰＲＳシーケンスを複製する複製ＰＲＳシーケンスを生成する能力を示す能力情報の送信を開始するように構成される、
を備える、モバイル局。
【請求項２９】
前記トランシーバは、
前記能力情報に応答して、前記対応する物理送信アンテナ要素に関する前記ＰＡＰ  ＩＤ（ｈ）を備える、観測到着時間差（ＯＴＤＯＡ）支援情報を受信するようにさらに構成される、
請求項２８に記載のモバイル局。
【請求項３０】
前記プロセッサは、
前記対応する物理送信アンテナ要素に関する前記ＰＡＰ  ＩＤ（ｈ）に基づいて、対応する複製ＰＲＳシーケンスを生成するようにさらに構成される、
請求項２９に記載のモバイル局。
【請求項３１】
セルから複数の測位基準信号（ＰＲＳ）シーケンスを受信するための手段と、ここにおいて、前記受信された複数のＰＲＳシーケンスにおける各ＰＲＳシーケンスは、対応する関数ｆ（ＰＡＰｈ）に部分的に基づき、前記対応する関数ｆ（ＰＡＰｈ）は、
対応するＰＲＳシーケンスのための長さ３１ゴールドシーケンスのためのシードに追加され、
前記セルにおける対応する物理送信アンテナ要素のＰＡＰ  ＩＤ（ｈ）に基づく、
処理手段と、ここにおいて、前記処理手段は、前記受信されたＰＲＳシーケンスのうちの１つまたは複数を複製するＰＲＳシーケンスを生成する能力を示す能力情報の送信を開始するためのものである、
を備える、装置。
【請求項３２】
前記能力情報に応答して、前記対応する物理送信アンテナ要素に関する前記ＰＡＰ  ＩＤ（ｈ）を備える、観測到着時間差（ＯＴＤＯＡ）支援情報を受信するための手段をさらに備える、
請求項３１に記載の装置。
【請求項３３】
実行可能なプログラム命令を含む非一時的なコンピュータ可読媒体であって、前記実行可能なプログラム命令は、
セルから複数の測位基準信号（ＰＲＳ）シーケンスを受信すること、ここにおいて、前記受信された複数のＰＲＳシーケンスにおける各ＰＲＳシーケンスは、対応する関数ｆ（ＰＡＰｈ）に部分的に基づき、前記対応する関数ｆ（ＰＡＰｈ）は、
対応するＰＲＳシーケンスのための長さ３１ゴールドシーケンスのためのシードに追加され、
前記セルにおける対応する物理送信アンテナ要素のＰＡＰ  ＩＤ（ｈ）に基づく、
をプロセッサに行わせる、非一時的なコンピュータ可読媒体。
【請求項３４】
前記実行可能なプログラム命令は、前記プロセッサに、
前記モバイル局において、前記対応する物理送信アンテナ要素に関する前記ＰＡＰ  ＩＤ（ｈ）を備える、観測到着時間差（ＯＴＤＯＡ）支援情報をさらに受信させる、
請求項３３に記載のコンピュータ可読媒体。
【手続補正２】
【補正対象書類名】明細書
【補正対象項目名】０１５６
【補正方法】変更
【補正の内容】
【０１５６】
[00146]本発明は、教示の目的ために指定の実施形態に関係して例示されているけれども、本発明は、それらに限定されない。本発明の範囲から逸脱することなく様々な適応および変更が行われうる。したがって、添付の特許請求の範囲の趣旨および範囲は、前述の説明に限定されるべきではない。
以下に、本願出願の当初の特許請求の範囲に記載された発明を付記する。
［Ｃ１］
サーバからの観測到着時間差（ＯＴＤＯＡ）支援情報を提供する方法であって、
モバイル局（ＭＳ）に前記ＯＴＤＯＡ支援情報を送ることと、ここにおいて、前記ＯＴＤＯＡ支援情報は、前記サーバによってサービス提供されるセルのサブセットにおける少なくとも１つのセルに関するアンテナ交換支援情報を含む測位基準信号（ＰＲＳ）支援情報を備える、
を備える方法。
［Ｃ２］
前記アンテナ交換支援情報は、１つまたは複数のブーリアンパラメータをさらに備え、前記１つまたは複数のブーリアンパラメータの各々は、
前記サーバによってサービス提供されるセルの前記サブセットにおける対応するセルに対応し、
物理送信アンテナ要素交換が、前記対応するセルのためのＰＲＳ測位オケージョン間で生じるかどうかを示す、
Ｃ１に記載の方法。
［Ｃ３］
前記アンテナ交換支援情報は、アンテナ交換間隔に関連する情報をさらに備え、前記アンテナ交換間隔は、前記物理送信アンテナ要素が交換される前に、前記少なくとも１つのセルにおける物理送信アンテナ要素上で送信される連続的なＰＲＳ測位オケージョンの数の観点から指定される、Ｃ１に記載の方法。
［Ｃ４］
前記アンテナ交換支援情報は、
アンテナ交換パターン情報、または
アンテナミューティングパターン情報、
のうちの少なくとも１つをさらに備える、Ｃ３に記載の方法。
［Ｃ５］
前記ＯＴＤＯＡ支援情報は、ロングタームエボリューション（ＬＴＥ）測位プロトコル（ＬＰＰ）またはＬＰＰ拡張子（ＬＰＰｅ）メッセージを使用して前記ＭＳに送られる、Ｃ１に記載の方法。
［Ｃ６］
前記サーバは、前記少なくとも１つのセルのための位置サーバである、Ｃ１に記載の方法。
［Ｃ７］
通信インタフェースと、ここにおいて、前記通信インタフェースは、モバイル局に観測到着時間差（ＯＴＤＯＡ）支援情報を送るためのものである、
前記通信インタフェースに結合されたプロセッサと、ここにおいて、前記プロセッサは、サーバによってサービス提供されるセルのサブセットにおける少なくとも１つのセルに関する前記ＯＴＤＯＡ支援情報を生成するように構成され、前記ＯＴＤＯＡ支援情報は、前記少なくとも１つのセルに関するアンテナ交換支援情報を含む測位基準信号（ＰＲＳ）支援情報を備える、
を備えるサーバ。
［Ｃ８］
前記アンテナ交換支援情報は、１つまたは複数のブーリアンパラメータをさらに備え、前記１つまたは複数のブーリアンパラメータの各々は、
前記サーバによってサービス提供されるセルの前記サブセットにおける対応するセルに対応し、
物理送信アンテナ要素交換が、前記対応するセルのためのＰＲＳ測位オケージョン間で生じるかどうかを示す、
Ｃ７に記載のサーバ。
［Ｃ９］
前記アンテナ交換支援情報は、アンテナ交換間隔に関連する情報をさらに備え、前記アンテナ交換間隔は、前記物理送信アンテナ要素が交換される前に、前記少なくとも１つのセルにおける物理送信アンテナ要素上で送信される連続的なＰＲＳ測位オケージョンの数の観点から指定される、Ｃ７に記載のサーバ。
［Ｃ１０］
前記アンテナ交換支援情報は、
アンテナ交換パターン情報、または
アンテナミューティングパターン情報、
のうちの少なくとも１つをさらに備える、Ｃ９に記載のサーバ。
［Ｃ１１］
前記プロセッサは、ロングタームエボリューション（ＬＴＥ）測位プロトコル（ＬＰＰ）またはＬＰＰ拡張子（ＬＰＰｅ）メッセージとして、前記ＯＴＤＯＡ支援情報をさらに生成する、Ｃ７に記載のサーバ。
［Ｃ１２］
モバイル局に観測到着時間差（ＯＴＤＯＡ）支援情報を送るための手段と、
ＯＴＤＯＡ支援情報を送るための前記手段に結合された処理する手段と、ここにおいて、前記処理する手段は、サーバによってサービス提供されるセルのサブセットにおける少なくとも１つのセルに関する前記ＯＴＤＯＡ支援情報を生成するためのものであり、前記ＯＴＤＯＡ支援情報は、少なくとも１つのセルに関するアンテナ交換支援情報を含む測位基準信号（ＰＲＳ）支援情報を備える、
を備えるサーバ。
［Ｃ１３］
前記アンテナ交換支援情報は、１つまたは複数のブーリアンパラメータをさらに備え、前記１つまたは複数のブーリアンパラメータの各々は、
前記サーバによってサービス提供されるセルの前記サブセットにおける対応するセルに対応し、
物理送信アンテナ要素交換が、前記対応するセルのためのＰＲＳ測位オケージョン間で生じるかどうかを示す、
Ｃ１２に記載のサーバ。
［Ｃ１４］
前記アンテナ交換支援情報は、アンテナ交換間隔に関連する情報をさらに備え、前記アンテナ交換間隔は、前記物理送信アンテナ要素が交換される前に、前記少なくとも１つのセルにおける物理送信アンテナ要素上で送信される連続的なＰＲＳ測位オケージョンの数の観点から指定される、Ｃ１２に記載のサーバ。
［Ｃ１５］
前記アンテナ交換支援情報は、
アンテナ交換パターン情報、または
アンテナミューティングパターン情報、
のうちの少なくとも１つをさらに備える、Ｃ１４に記載のサーバ。
［Ｃ１６］
前記処理する手段は、ロングタームエボリューション（ＬＴＥ）測位プロトコル（ＬＰＰ）またはＬＰＰ拡張子（ＬＰＰｅ）メッセージとして、前記ＯＴＤＯＡ支援情報をさらに生成するためのものである、Ｃ１２に記載のサーバ。
［Ｃ１７］
プロセッサによって実行されるときに、サーバからの観測到達時間差（ＯＴＤＯＡ）支援情報を提供するための方法におけるステップを実行する命令を備える非一時的なコンピュータ可読媒体であって、前記ステップは、
モバイル局に前記ＯＴＤＯＡ支援情報を送ることと、ここにおいて、前記ＯＴＤＯＡ支援情報は、前記サーバによってサービス提供されるセルのサブセットにおける少なくとも１つのセルに関するアンテナ交換支援情報を含む測位基準信号（ＰＲＳ）支援情報を備える、
を備える非一時的なコンピュータ可読媒体。
［Ｃ１８］
前記アンテナ交換支援情報は、１つまたは複数のブーリアンパラメータをさらに備え、前記１つまたは複数のブーリアンパラメータの各々は、
前記サーバによってサービス提供されるセルの前記サブセットにおける対応するセルに対応し、
物理送信アンテナ要素交換が、前記対応するセルのためのＰＲＳ測位オケージョン間で生じるかどうかを示す、
Ｃ１７に記載のコンピュータ可読媒体。
［Ｃ１９］
前記アンテナ交換支援情報は、アンテナ交換間隔に関連する情報をさらに備え、前記アンテナ交換間隔は、前記物理送信アンテナ要素が交換される前に、前記少なくとも１つのセルにおける物理送信アンテナ要素上で送信される連続的なＰＲＳ測位オケージョンの数の観点から指定される、Ｃ１７に記載のコンピュータ可読媒体。
［Ｃ２０］
前記アンテナ交換支援情報は、
アンテナ交換パターン情報、または
アンテナミューティングパターン情報、
のうちの少なくとも１つをさらに備える、Ｃ１９に記載のコンピュータ可読媒体。
［Ｃ２１］
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、Ｃ１７に記載のコンピュータ可読媒体。
［Ｃ２２］
モバイル局（ＭＳ）で観測到着時間差（ＯＴＤＯＡ）支援情報を受信することと、ここにおいて、前記ＯＴＤＯＡ支援情報は、少なくとも１つのセルに関するアンテナ交換支援情報を含む測位基準信号（ＰＲＳ）支援情報を備える、
物理送信アンテナ要素交換は、前記受信されたアンテナ交換支援情報に少なくとも部分的に基づいて、前記少なくとも１つのセルによって使用されるかどうかを決定することと、
物理送信アンテナ要素交換が前記少なくとも１つのセルによって使用される場合、単一のＰＲＳ測位オケージョン中の前記ＭＳにおける測定に基づいて決定される到達時間（ＴＯＡ）値のセットからＰＲＳに関するＴＯＡ値を選択することと、ここにおいて、前記ＰＲＳは前記ＭＳによって受信され、前記選択されたＴＯＡ値は、ＴＯＡ値の前記セットにおける他のＴＯＡ値よりも、前記ＰＲＳのソースと前記ＭＳとの間のより短い距離を示す、
を備える方法。
［Ｃ２３］
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、Ｃ２２に記載の方法。
［Ｃ２４］
前記ＯＴＤＯＡ支援情報は、前記少なくとも１つのセルのための位置サーバによって送信される、Ｃ２２に記載の方法。
［Ｃ２５］
前記選択されたＴＯＡ値および前記ＯＴＤＯＡ支援情報に部分的に基づいて、前記ＭＳの位置を決定すること、をさらに備える、Ｃ２２に記載の方法。
［Ｃ２６］
測位基準信号（ＰＲＳ）および観測到達時間差（ＯＴＤＯＡ）支援情報を受信する能力を有するトランシーバと、ここにおいて、前記ＯＴＤＯＡ支援情報は、少なくとも１つのセルに関するアンテナ交換支援情報を含むＰＲＳ支援情報を備える、
前記トランシーバに結合されたプロセッサとを備え、前記プロセッサは、
物理送信アンテナ要素交換が、前記受信されたアンテナ交換支援情報に少なくとも部分的に基づいて、前記少なくとも１つのセルによって使用されるかどうかを決定し、
単一のＰＲＳ測位オケージョン中の測定に基づいて決定される到達時間（ＴＯＡ）値のセットからＰＲＳに関するＴＯＡ値を選択することと、ここにおいて、物理送信アンテナ要素交換が前記少なくとも１つのセルによって使用される場合、前記ＰＲＳはモバイル局（ＭＳ）によって受信され、前記選択されたＴＯＡ値は、ＴＯＡ値の前記セットにおける他のＴＯＡ値よりも、前記ＰＲＳのソースと前記ＭＳとの間のより短い距離を示す、
を備えるモバイル局（ＭＳ）。
［Ｃ２７］
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、Ｃ２６に記載のモバイル局。
［Ｃ２８］
前記プロセッサは、前記選択されたＴＯＡ値および前記ＯＴＤＯＡ支援情報に部分的に基づいて、前記ＭＳの位置を決定するようにさらに構成される、Ｃ２６に記載のモバイル局。
［Ｃ２９］
トランシーバ手段と、ここにおいて、前記トランシーバ手段は、測位基準信号（ＰＲＳ）および観測到達時間差（ＯＴＤＯＡ）支援情報を受信するためのものであり、ここにおいて、前記ＯＴＤＯＡ支援情報は、少なくとも１つのセルに関するアンテナ交換支援情報を含むＰＲＳ支援情報を備える、
前記トランシーバ手段に結合された処理する手段とを備え、前記処理する手段は、
物理送信アンテナ要素交換が前記受信されたアンテナ交換支援情報に少なくとも部分的に基づいて、前記少なくとも１つのセルによって使用されるかどうかを決定するための手段と、
単一のＰＲＳ測位オケージョン中の測定に基づいて決定される到達時間（ＴＯＡ）値のセットからＰＲＳに関するＴＯＡ値を選択するための手段と、ここにおいて、物理送信アンテナ要素交換が前記少なくとも１つのセルによって使用される場合、前記ＰＲＳはモバイル局（ＭＳ）によって受信され、前記選択されたＴＯＡ値は、ＴＯＡ値の前記セットにおける他のＴＯＡ値よりも、前記ＰＲＳのソースと前記ＭＳとの間のより短い距離を示す、
を備えるモバイル局。
［Ｃ３０］
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、Ｃ２９に記載のモバイル局。
［Ｃ３１］
前記処理する手段は、前記選択されたＴＯＡ値および前記ＯＴＤＯＡ支援情報に部分的に基づいて、前記ＭＳの位置を決定するための手段をさらに備える、Ｃ２９に記載のモバイル局。
［Ｃ３２］
プロセッサによって実行されるときに方法におけるステップを実行する命令を備える、非一時的なコンピュータ可読媒体であって、前記ステップは、
モバイル局（ＭＳ）で観測到着時間差（ＯＴＤＯＡ）支援情報を受信することと、ここにおいて、前記ＯＴＤＯＡ支援情報は、少なくとも１つのセルに関するアンテナ交換支援情報を含む測位基準信号（ＰＲＳ）支援情報を備える、
物理送信アンテナ要素交換は、前記受信されたアンテナ交換支援情報に少なくとも部分的に基づいて、前記少なくとも１つのセルによって使用されるかどうかを決定することと、
物理送信アンテナ要素交換が前記少なくとも１つのセルによって使用される場合、単一のＰＲＳ測位オケージョン中の前記ＭＳにおける測定に基づいて決定される到達時間（ＴＯＡ）値のセットからＰＲＳに関するＴＯＡ値を選択することと、ここにおいて、前記ＰＲＳは前記ＭＳによって受信され、前記選択されたＴＯＡ値は、ＴＯＡ値の前記セットにおける他のＴＯＡ値よりも、前記ＰＲＳのソースと前記ＭＳとの間のより短い距離を示す、
を備える非一時的なコンピュータ可読媒体。
［Ｃ３３］
前記アンテナ交換支援情報は、ロングタームエボリューション（ＬＴＥ）測位プロトコル（ＬＰＰ）またはＬＰＰ拡張子（ＬＰＰｅ）メッセージを使用して提供される、Ｃ３２に記載のコンピュータ可読媒体。
［Ｃ３４］
前記ＯＴＤＯＡ支援情報は、前記少なくとも１つのセルのための位置サーバによって送信される、Ｃ３２に記載のコンピュータ可読媒体。
［Ｃ３５］
前記選択されたＴＯＡ値および前記ＯＴＤＯＡ支援情報に部分的に基づいて、前記ＭＳの位置を決定すること、をさらに備える、Ｃ３２に記載のコンピュータ可読媒体。
［Ｃ３６］
単一のセルにサービス提供する複数の物理送信アンテナ要素を備えるシステムのための測位基準信号（ＰＲＳ）シーケンスを生成する方法であって、
前記複数の物理送信アンテナ要素のサブセットに特異の物理アンテナポート（ＰＡＰ）識別子（ＩＤ）を割り当てることと、
前記複数の物理送信アンテナ要素の前記サブセットのためのＰＲＳシーケンスを生成することと、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
を備える方法。
［Ｃ３７］
前記複数の物理送信アンテナ要素は、分散型アンテナシステム（ＤＡＳ）を備える、Ｃ３６に記載の方法。
［Ｃ３８］
前記複数の物理送信アンテナ要素は、遠隔ラジオヘッド（ＲＲＨ）を使用して実現される、Ｃ３６に記載の方法。
［Ｃ３９］
前記ＰＡＰ  ＩＤ（ｈ）は、位置サーバによって、前記対応する物理送信アンテナ要素に関する観測到着時間差（ＯＴＤＯＡ）支援情報の一部として送信される、Ｃ３６に記載の方法。
［Ｃ４０］
前記ＰＡＰ  ＩＤ（ｈ）は、モバイル局で複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として送信される、Ｃ３９に記載の方法。
［Ｃ４１］
前記複数の物理送信アンテナ要素の前記サブセットにおける前記複数の物理送信アンテナ要素のうちの少なくとも１つに関してｆ（ＰＡＰｈ）＝０である、Ｃ３６に記載の方法。
［Ｃ４２］
通信インタフェースと、ここにおいて、前記通信インタフェースは、モバイル局（ＭＳ）に観測到達時間差（ＯＴＤＯＡ）支援情報を送るためのものであり、ＯＴＤＯＡ支援情報は、物理アンテナポート（ＰＡＰ）識別子（ＩＤ）を備える、
前通信インタフェースに結合されたプロセッサとを備え、前記プロセッサは、
単一のセルにサービス提供する複数の物理送信アンテナ要素の各々に特異のＰＡＰ  ＩＤを割り当て、
前記複数の物理送信アンテナ要素のサブセットのためのＰＲＳシーケンスを生成する、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
ように構成される、装置。
［Ｃ４３］
前記複数の物理送信アンテナ要素は、分散型アンテナシステム（ＤＡＳ）を備える、Ｃ４２に記載の装置。
［Ｃ４４］
前記複数の物理送信アンテナ要素は、遠隔ラジオヘッド（ＲＲＨ）を使用して実現される、Ｃ４２に記載の装置。
［Ｃ４５］
前記装置は位置サーバである、Ｃ４２に記載の装置。
［Ｃ４６］
前記プロセッサは、前記ＭＳで複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として前記ＰＡＰ  ＩＤ（ｈ）を含むようにさらに構成される、Ｃ４５に記載の装置。
［Ｃ４７］
前記複数の物理送信アンテナ要素の前記サブセットにおける前記物理送信アンテナ要素のうちの少なくとも１つに関してｆ（ＰＡＰｈ）＝０である、Ｃ４２に記載の装置。
［Ｃ４８］
通信手段と、前記通信手段は、モバイル局（ＭＳ）に観測到達時間差（ＯＴＤＯＡ）支援情報を送るように構成され、ＯＴＤＯＡ支援情報は、物理アンテナポート（ＰＡＰ）識別子（ＩＤ）を備える、
前記通信手段に結合された処理する手段とを備え、前記処理する手段は、
単一のセルにサービス提供する複数の物理送信アンテナ要素の各々に特異のＰＡＰ  ＩＤを割り当てるための手段と、
前記複数の物理送信アンテナ要素のサブセットのためのＰＲＳシーケンスを生成するための手段と、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
をさらに備える、装置。
［Ｃ４９］
前記複数の物理送信アンテナ要素は、分散型アンテナシステム（ＤＡＳ）を備える、Ｃ４８に記載の装置。
［Ｃ５０］
前記複数の物理送信アンテナ要素は、遠隔ラジオヘッド（ＲＲＨ）を使用して実現される、Ｃ４８に記載の装置。
［Ｃ５１］
前記装置は位置サーバである、Ｃ４８に記載の装置。
［Ｃ５２］
前記処理する手段は、前記ＭＳで複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として前記ＰＡＰ  ＩＤ（ｈ）をさらに含む、Ｃ５１に記載の装置。
［Ｃ５３］
前記複数の物理送信アンテナ要素の前記サブセットにおける前記物理送信アンテナ要素のうちの少なくとも１つに関してｆ（ＰＡＰｈ）＝０である、Ｃ４８に記載の装置。
［Ｃ５４］
プロセッサによって実行されるときに、単一のセルにサービス提供する複数の物理送信アンテナ要素を備えるシステムのための測位基準信号（ＰＲＳ）シーケンスを生成する方法におけるステップを実行する命令を備える非一時的なコンピュータ可読媒体であって、前記ステップは、
前記複数の物理送信アンテナ要素のサブセットに特異の物理アンテナポート（ＰＡＰ）識別子（ＩＤ）を割り当てることと、
前記複数の物理送信アンテナ要素の前記サブセットのためのＰＲＳシーケンスを生成することと、ここにおいて、各ＰＲＳシーケンスは、前記複数の物理送信アンテナ要素の前記サブセットにおける１つの物理送信アンテナ要素に対応し、関数ｆ（ＰＡＰｈ）は、対応する物理送信アンテナ要素のためのＰＲＳシーケンスを生成するために使用される長さ３１ゴールドシーケンスのためのシードに追加され、前記関数ｆ（ＰＡＰｈ）は、前記対応する物理送信アンテナ要素のＰＡＰ  ＩＤ（ｈ）に基づく、
を備える非一時的なコンピュータ可読媒体。
［Ｃ５５］
前記複数の物理送信アンテナ要素は、分散型アンテナシステム（ＤＡＳ）を備える、Ｃ５４に記載のコンピュータ可読媒体。
［Ｃ５６］
前記複数の物理送信アンテナ要素は、遠隔ラジオヘッド（ＲＲＨ）を使用して実現される、Ｃ５４に記載のコンピュータ可読媒体。
［Ｃ５７］
前記ＰＡＰ  ＩＤ（ｈ）は、位置サーバによって、前記対応する物理送信アンテナ要素に関する観測到着時間差（ＯＴＤＯＡ）支援情報の一部として送信される、Ｃ５４に記載のコンピュータ可読媒体。
［Ｃ５８］
前記ＰＡＰ  ＩＤ（ｈ）は、モバイル局で複製のＰＲＳシーケンスを生成する能力を示す受信された情報に少なくとも部分的に基づいて、前記対応する物理送信アンテナ要素に関する前記観測到着時間差（ＯＴＤＯＡ）支援情報の一部として送信される、Ｃ５７に記載のコンピュータ可読媒体。
［Ｃ５９］
前記複数の物理送信アンテナ要素の前記サブセットにおける前記物理送信アンテナ要素のうちの少なくとも１つに関してｆ（ＰＡＰｈ）＝０である、Ｃ５４に記載のコンピュータ可読媒体。
【外国語明細書】
2018072343000001.pdf